(57)【特許請求の範囲】
【請求項１】
照明器具の第１のグループに関連付けられる照明器具であって、前記照明器具の第１のグループは、照明器具の第２のグループと同じ環境に位置付けされ、前記照明器具は、
光を放出するように構成される光源と、
環境光センサと、
回路と
を含み、
前記回路は、
前記照明器具の第１のグループから放出される光に関する基準出力レベルを決定するように構成され、
前記照明器具の第２のグループから放出される光に関する実際の照明寄与を決定するように構成され、
前記実際の照明寄与によって前記基準出力レベルを低減させ、目標レベルの関数である調節された基準レベルを提供するように構成され、
前記環境光センサをモニタリングし、前記環境光センサからの測定値が前記目標レベルに対応するように光出力レベルを調整するように構成される、照明器具。
【請求項２】
前記回路は、前記照明器具の第１のグループに関する調光レベルを制御するローカル調光情報を受け取るように構成され、前記目標レベルは、前記調節された基準レベルおよび前記ローカル調光情報に基づく、請求項１に記載の照明器具。
【請求項３】
前記ローカル調光情報は、前記光源に関するフル出力レベルのパーセンテージに対応し、前記目標レベルは、前記調節された基準レベルを乗算された前記フル出力レベルの前記パーセンテージに対応する、請求項２に記載の照明器具。
【請求項４】
前記実際の照明寄与を決定するために、前記回路は、さらに、
前記照明器具の第２のグループの潜在的な照明寄与を決定するように構成され、
前記照明器具の第２のグループに関連付けられる調光レベルに対応する調光情報を受け取るように構成され、
前記潜在的な照明寄与および前記調光情報に基づいて前記実際の照明寄与を決定するように構成される、請求項１に記載の照明器具。
【請求項５】
前記潜在的な照明寄与を決定するために、前記回路は、さらに、
前記照明器具の第２のグループの中のそれぞれの照明器具に関して、前記照明器具の第２のグループの中の前記照明器具がフル出力レベルにおいて光を放出するときと、光を放出しないときとの間の環境光レベルの差を決定するように構成され、
前記照明器具の第２のグループの中のそれぞれの照明器具に関して、前記環境光レベルの前記差を総和し、前記潜在的な照明寄与を決定するように構成される、請求項４に記載の照明器具。
【請求項６】
前記潜在的な照明寄与を決定するときに、前記回路は、
前記照明器具の第２のグループの中のそれぞれの照明器具に関して、
前記照明器具の第２のグループの中の他の照明器具が設定出力レベルのままである状態で、前記照明器具の第２のグループの中の前記照明器具に、前記フル出力レベルにおいて光を放出するように指示するように構成され、
前記照明器具の第２のグループの中の前記照明器具が前記フル出力レベルにおいて光を放出しているときに、前記フル出力レベルにおける環境光レベルを測定するように構成され、
前記照明器具の第２のグループの中の他の照明器具が設定出力レベルのままである状態で、前記照明器具の第２のグループの中の前記照明器具に、光を放出しないように指示するように構成され、
前記照明器具の第２のグループの中の前記照明器具が光を放出していないときに、前記環境光レベルを測定するように構成される、請求項５に記載の照明器具。
【請求項７】
前記潜在的な照明寄与を決定するために、前記回路は、前記照明器具の第２のグループの中の前記照明器具のすべてがフル出力レベルにおいて光を放出しているときと、光を放出していないときとの間の、環境光レベルの差を決定するようにさらに構成され、前記環境光レベルの前記差は、前記潜在的な照明寄与に対応する、請求項４に記載の照明器具。
【請求項８】
前記潜在的な照明寄与を決定するときに、前記回路は、
前記照明器具の第２のグループの中の前記照明器具のそれぞれに、同時に前記フル出力レベルにおいて光を放出するように指示するように構成され、
前記照明器具の第２のグループの中の前記照明器具が前記フル出力レベルにおいて光を放出しているときに、前記フル出力レベルにおける環境光レベルを測定するように構成され、
前記照明器具の第２のグループの中の前記照明器具のそれぞれに、同時に光を放出しないように指示するように構成され、
前記照明器具の第２のグループの中の前記照明器具が光を放出していないときに、前記環境光レベルを測定するように構成される、請求項７に記載の照明器具。
【請求項９】
前記調光情報は、前記照明器具の第２のグループの前記照明器具のうちの少なくとも１つから受け取られる、請求項４に記載の照明器具。
【請求項１０】
前記照明器具の第２のグループの前記照明器具のうちの前記少なくとも１つは、複数の照明器具を含み、前記調光情報は、前記複数の照明器具のそれぞれから受け取られる、請求項９に記載の照明器具。
【請求項１１】
前記照明器具の第１のグループから放出される光に関する前記基準出力レベルを決定するために、前記回路は、
前記照明器具の第１のグループの中のそれぞれの照明器具に、フル出力レベルにおいて光を出力するように指示するように構成され、
前記フル出力レベルにおいて前記光源から光を放出するように構成され、
前記照明器具の第１のグループの中の前記照明器具が前記フル出力レベルにおいて光を放出しているときに、環境光レベルを測定するように構成され、
前記照明器具の第１のグループの中のそれぞれの照明器具に、光を出力しないように指示するように構成され、
前記光源から光を放出することを停止するように構成され、
前記照明器具の第１のグループの中の前記照明器具が光を放出していないときに、前記環境光レベルを測定するように構成され、
前記照明器具の第１のグループの中の前記照明器具が前記フル出力レベルにおいて光を放出しているときの前記環境光レベルと、前記照明器具の第１のグループの中の前記照明器具が光を放出していないときの前記環境光レベルとの間の差を決定するように構成され、前記差は、前記基準出力レベルに対応する、請求項１に記載の照明器具。
【請求項１２】
前記照明器具の第１のグループは、１つの照明器具だけを含む、請求項１に記載の照明器具。
【請求項１３】
前記照明器具の第２のグループは、１つの照明器具だけを含む、請求項１に記載の照明器具。
【請求項１４】
前記照明器具の第１のグループは、複数の照明器具を含む、請求項１に記載の照明器具。
【請求項１５】
前記照明器具の第２のグループは、複数の照明器具を含む、請求項１に記載の照明器具。
【請求項１６】
前記回路は、前記照明器具の第１のグループに関する調光レベルを制御するローカル調光情報を受け取るように構成され、前記目標レベルは、前記調節された基準レベルおよび前記ローカル調光情報に基づき、
前記照明器具の第１のグループから放出される光に関する前記基準出力レベルを決定するために、前記回路は、
前記照明器具の第１のグループの中のそれぞれの照明器具に、フル出力レベルにおいて光を出力するように指示するように構成され、
前記フル出力レベルにおいて前記光源から光を放出するように構成され、
前記照明器具の第１のグループの中の前記照明器具が前記フル出力レベルにおいて光を放出しているときに、環境光レベルを測定するように構成され、
前記照明器具の第１のグループの中のそれぞれの照明器具に、光を出力しないように指示するように構成され、
前記光源から光を放出することを停止するように構成され、
前記照明器具の第１のグループの中の前記照明器具が光を放出していないときに、前記環境光レベルを測定するように構成され、
前記照明器具の第１のグループの中の前記照明器具が前記フル出力レベルにおいて光を放出しているときの前記環境光レベルと、前記照明器具の第１のグループの中の前記照明器具が光を放出していないときの前記環境光レベルとの間の差を決定するように構成され、前記差は、前記基準出力レベルに対応し、
前記実際の照明寄与を決定するために、前記回路は、さらに、
前記照明器具の第２のグループの潜在的な照明寄与を決定するように構成され、
前記照明器具の第２のグループに関連付けられる調光レベルに対応する調光情報を受け取るように構成され、
前記潜在的な照明寄与および前記調光情報に基づいて前記実際の照明寄与を決定するように構成される、請求項１に記載の照明器具。
【請求項１７】
前記潜在的な照明寄与を決定するために、前記回路は、さらに、
前記照明器具の第２のグループの中のそれぞれの照明器具に関して、前記照明器具の第２のグループの中の前記照明器具が前記フル出力レベルにおいて光を放出しているときと、光を放出していないときとの間の環境光レベルの差を決定するように構成され、
前記照明器具の第２のグループの中のそれぞれの照明器具に関して、前記環境光レベルの前記差を総和し、前記潜在的な照明寄与を決定するように構成される、請求項１６に記載の照明器具。
【請求項１８】
前記潜在的な照明寄与を決定するときに、前記回路は、
前記照明器具の第２のグループの中のそれぞれの照明器具に関して、
前記照明器具の第２のグループの中の他の照明器具が設定出力レベルのままである状態で、前記照明器具の第２のグループの中の前記照明器具に、前記フル出力レベルにおいて光を放出するように指示するように構成され、
前記照明器具の第２のグループの中の前記照明器具が前記フル出力レベルにおいて光を放出しているときに、前記フル出力レベルにおける前記環境光レベルを測定するように構成され、
前記照明器具の第２のグループの中の他の照明器具が前記設定出力レベルのままである状態で、前記照明器具の第２のグループの中の前記照明器具に、光を放出しないように指示するように構成され、
前記照明器具の第２のグループの中の前記照明器具が光を放出していないときに、前記環境光レベルを測定するように構成される、請求項１７に記載の照明器具。
【請求項１９】
前記潜在的な照明寄与を決定するために、前記回路は、前記照明器具の第２のグループの中の前記照明器具のすべてが前記フル出力レベルにおいて光を放出しているときと、光を放出していないときとの間の、環境光レベルの差を決定するようにさらに構成され、前記環境光レベルの前記差は、前記潜在的な照明寄与に対応する、請求項１６に記載の照明器具。
【請求項２０】
前記回路は、前記照明器具の第１のグループに関する前記調光レベルを制御する前記ローカル調光情報を受け取るように構成され、前記目標レベルは、前記調節された基準レベルおよび前記ローカル調光情報に基づく、請求項１６に記載の照明器具。
【請求項２１】
前記ローカル調光情報は、前記光源に関する前記フル出力レベルのパーセンテージに対応し、前記目標レベルは、前記調節された基準レベルを乗算された前記フル出力レベルの前記パーセンテージに対応する、請求項２０に記載の照明器具。
【発明の詳細な説明】
【技術分野】
【０００１】
[0001]本開示は、照明器具およびそのための制御に関し、とりわけ、少なくとも部分的に環境光に基づいて照明器具の光出力を制御することに関する。
【背景技術】
【０００２】
[0002]近年、白熱電球を、より効率的な照明技術を用いる照明器具と置き換えるとともに、比較的効率的な蛍光灯照明器具を、より快適な自然光を作り出す照明技術と置き換える動きが勢いを増してきた。すばらしい将来性を示す１つのそのような技術は、発光ダイオード（ＬＥＤ）を用いる。白熱電球と比較して、ＬＥＤベースの照明器具は、電気的なエネルギーを光に変換するのにはるかに効率的であり、より長持ちし、また、非常に自然な光を作り出すことが可能である。蛍光灯照明と比較して、ＬＥＤベースの照明器具は、同様に、非常に効率的であるが、はるかに自然な光を作り出すことが可能であり、さらに、色を正確にレンダリングすることが可能である。結果として、居住用途、商業用途、および産業用途において、白熱電球および蛍光灯は、ＬＥＤ技術を用いる照明器具に置き換えられている。
【０００３】
[0003]フィラメントを所望の電流にさらすことによって動作する白熱電球とは異なり、ＬＥＤベースの照明器具は、１つまたは複数のＬＥＤを駆動する電子機器を必要とする。電子機器は、一般的に、電力供給部および特別な制御回路を含み、所望の様式で１つまたは複数のＬＥＤを駆動するために必要とされる、ユニークに構成された信号を提供する。制御回路の存在は、潜在的にかなりのレベルのインテリジェンスを照明器具に追加し、それは、さまざまなタイプの照明制御を用いるために活用され得る。そのような照明制御は、環境光、占有（ｏｃｃｕｐａｎｃｙ）、温度、および色温度など、さまざまな環境条件に基づくことが可能である。たとえば、デイライティング（ｄａｙｌｉｇｈｔｉｎｇ）は、環境光レベルに基づいて、１つまたは複数の照明器具の光出力レベルを調整するために使用される制御技法である。
【０００４】
[0004]特定のエリアの中の光は、さまざまな供給源から来る可能性がある。たとえば、そのエリアは、照明器具のグループおよび補助光源を有することが可能であり、補助光源から、補助光が、１日を通して、異なるレベルで受け取られる。補助光源は、自然的なもの、人工的なもの、または、それらの組み合わせであることが可能である。環境光は、照明器具のグループによって提供される光と補助光源によって提供される補助光との組み合わせであると考えられる。
【０００５】
[0005]デイライティングは、一般的に、エリアに関する環境光レベルに基づいて、照明器具によって放出される光の出力レベルを動的に調整し、エリアに関する所望の環境光レベルを維持するプロセスを表す。補助光の量が増加するにつれて、照明器具のグループは、比例的にそれらの光出力レベルを減少させ、所望の環境光レベルを維持することになる。同様に、補助光の量が減少するにつれて、照明器具のグループは、それらの光出力レベルを増加させることになる。
【発明の概要】
【発明が解決しようとする課題】
【０００６】
[0006]デイライティングの概念は比較的複雑ではないが、デイライティングの適用は、特に、照明器具の２つのグループが同じ一般的なエリアの中に設けられ、それぞれのグループが独立して調光可能であるときに、複雑さを伴うことが多い。たとえば、第１のグループの照明器具が、より低い出力レベルに調光される場合には、第２のグループの照明器具は、それらの出力レベルを増加させようと試み、第１のグループの中の照明器具を調光することによって引き起こされる環境光の低減を補償することになる。第１のグループの調光に対する第２のグループによる反応は、望ましくないことが多い。本明細書で説明される概念は、この問題に対処する。
【課題を解決するための手段】
【０００７】
[0007]照明器具の２つのグループが、同じ一般的なエリアに位置付けされており、デイライティングを用い、互いによってセンシングされ得る光を提供することを仮定する。１つの実施形態によれば、第１のグループは、第２のグループによって提供される実際の照明寄与を決定することになり、デイライティングの決定を行うときに、第２のグループによって提供される実際の照明寄与を除去することになる。したがって、第２のグループの調光レベルが変化されるときに、第１のグループは、デイライティングの決定を行うときに、第２のグループの調光レベルの変化を効果的に無視することになり、また、その逆も同様である。照明器のグループは、１つまたは複数の照明器具を含むことが可能である。
【０００８】
[0008]１つの実施形態では、所与の照明器具は、以下の通り構成される。照明器具は、照明器具の第１のグループに関連付けられ得、照明器具の第１のグループは、照明器具の第２のグループと同じ環境に位置付けされることを仮定する。照明器具は、光を放出するように構成される光源と、環境光センサと、回路とを含み、照明器具の動作を制御し、他の照明器具または壁面取り付け式コントローラなどと通信することが可能である。
【０００９】
[0009]この実施形態では、回路は、
・  照明器具の第１のグループから放出される光に関する基準出力レベルを決定するように構成され、
・  照明器具の第２のグループから放出される光に関する実際の照明寄与を決定するように構成され、
・  実際の照明寄与によって基準出力レベルを低減させ、目標レベルの関数である調節された基準レベルを提供するように構成され、
・  環境光センサをモニタリングし、光環境光センサからの測定値が目標レベルに対応するように出力レベルを調整するように構成される。
【００１０】
[0010]照明器具の第１のグループに関する調光レベルを制御するローカル調光情報は、壁面取り付け式コントローラまたは第１のグループの中の別の照明器具から受け取られ得る。目標レベルは、調節された基準レベルおよびローカル調光レベルに基づくことが可能である。ローカル調光レベルは、光源に関するフル出力レベルのパーセンテージに対応することが可能であり、目標レベルは、調節された基準レベルを乗算されたフル出力レベルのパーセンテージに対応することが可能である。
【００１１】
[0011]１つの構成では、第２のグループの実際の照明寄与は、グループとして決定される。したがって、実際の照明寄与を決定するために、回路は、さらに、
・  照明器具の第２のグループの潜在的な照明寄与を決定するように構成され、
・  照明器具の第２のグループに関連付けられる調光レベルに対応する調光情報を受け取るように構成され、
・  潜在的な照明寄与、および、照明器具の第２のグループに関連付けられる調光レベルに対応する調光情報に基づいて実際の照明寄与を決定するように構成される。
【００１２】
[0012]別の構成では、第２のグループの実際の照明寄与は、器具ごとに決定される。潜在的な照明寄与を決定するために、回路は、さらに、
・  照明器具の第２のグループの中のそれぞれの照明器具に関して、照明器具の第２のグループの中の照明器具がフル出力レベルにおいて光を放出しているときと、光を放出していないときとの間の環境光レベルの差を決定するように構成され、
・  照明器具の第２のグループの中のそれぞれの照明器具に関して、環境光レベルの差を総和し、潜在的な照明寄与を決定するように構成される。
【００１３】
[0013]潜在的な照明寄与を決定することは、照明器具の第２のグループの中のそれぞれの照明器具に関して、
・  照明器具の第２のグループの中の他の照明器具が設定出力レベルのままである状態で、照明器具の第２のグループの中の照明器具に、フル出力レベルにおいて光を放出するように指示することと、
・  照明器具の第２のグループの中の照明器具がフル出力レベルにおいて光を放出しているときに、フル出力レベルにおける環境光レベルを測定することと、
・  照明器具の第２のグループの中の他の照明器具が設定出力レベルのままである状態で、照明器具の第２のグループの中の照明器具に、光を放出しないように指示することと、
・  照明器具の第２のグループの中の照明器具が光を放出していないときに、環境光レベルを測定することと
を含むことが可能である。
【００１４】
[0014]潜在的な照明寄与を決定するために、回路は、照明器具の第２のグループの中の照明器具のすべてがフル出力レベルにおいて光を放出しているときと、光を放出していないときとの間の、環境光レベルの差を決定することが可能であり、環境光レベルの差は、潜在的な照明寄与に対応する。潜在的な照明寄与を決定するときに、回路は、
・  照明器具の第２のグループの中の照明器具のそれぞれに、同時にフル出力レベルにおいて光を放出するように指示するように構成され、
・  照明器具の第２のグループの中の照明器具がフル出力レベルにおいて光を放出しているときに、フル出力レベルにおける環境光レベルを測定するように構成され、
・  照明器具の第２のグループの中の照明器具のそれぞれに、同時に光を放出しないように指示するように構成され、
・  照明器具の第２のグループの中の照明器具が光を放出していないときに、環境光レベルを測定するように構成される。
第２のグループに関する調光情報は、第２のグループの１つまたは複数の照明器具から受け取られ得る。
【００１５】
[0015]照明器具の第１のグループから放出される光に関する基準出力レベルを決定するために、回路は、
・  照明器具の第１のグループの中のそれぞれの照明器具に、フル出力レベルにおいて光を出力するように指示するように構成され得、
・  フル出力レベルにおいて光源から光を放出するように構成され得、
・  照明器具の第１のグループの中の照明器具がフル出力レベルにおいて光を放出しているときに、環境光レベルを測定するように構成され得、
・  照明器具の第１のグループの中のそれぞれの照明器具に、光を出力しないように指示するように構成され得、
・  光源から光を放出することを停止するように構成され得、
・  照明器具の第１のグループの中の照明器具が光を放出していないときに、環境光レベルを測定するように構成され得、
・  照明器具の第１のグループの中の照明器具がフル出力レベルにおいて光を放出しているときの環境光レベルと、照明器具の第１のグループの中の照明器具が光を放出していないときの環境光レベルとの間の差を決定するように構成され得、差は、基準出力レベルに対応する。
【００１６】
[0016]当業者は、添付の図面に関連して以下の詳細な説明を読んだ後に、本開示の範囲を理解し、本開示の追加的な態様を理解するであろう。
[0017]本明細書の中に組み込まれ、本明細書の一部を形成する添付の図面は、本開示のいくつかの態様を図示し、説明とともに、本開示の原理を説明する役割を果たす。
【図面の簡単な説明】
【００１７】
【図１】[0018]本開示の１つの実施形態による、照明環境を示す図である。
【図２】[0019]本開示の１つの実施形態による、照明器具の動作を図示するフロー図である。
【図３Ａ】[0020]本開示の１つの実施形態による、照明器具の相互作用を図示する通信フロー図である。
【図３Ｂ】本開示の１つの実施形態による、照明器具の相互作用を図示する通信フロー図である。
【図３Ｃ】本開示の１つの実施形態による、照明器具の相互作用を図示する通信フロー図である。
【図３Ｄ】本開示の１つの実施形態による、照明器具の相互作用を図示する通信フロー図である。
【図４】[0021]本開示の第２の実施形態による、照明環境を示す図である。
【図５】[0022]本開示の１つの実施形態による、反射板ベースの照明器具の斜視図である。
【図６】[0023]図５の照明器具の断面図である。
【図７】[0024]どのように光が照明器具のＬＥＤから発せられ、照明器具のレンズを通して外に反射されるかを図示する、図５の照明器具の断面図である。
【図８】[0025]図１の照明器具の電子機器ハウジングの中に統合されたドライバモジュールおよび通信モジュールを図示する図である。
【図９】[0026]本開示の１つの実施形態による、照明システムのブロック図である。
【図１０】[0027]本開示の１つの実施形態による、通信モジュールのブロック図である。
【図１１】[0028]本開示の第１の実施形態による、例示的なＬＥＤの断面図である。
【図１２】[0029]本開示の第２の実施形態による、例示的なＬＥＤの断面図である。
【図１３】[0030]３つの異なるＬＥＤに関する色点および黒体軌跡を図示するＣＩＥ１９７６色度図を示す図である。
【図１４】[0031]本開示の１つの実施形態による、ドライバモジュールおよびＬＥＤアレイの概略図である。
【図１５】[0032]図１４のドライバモジュールの機能的な概略図である。
【図１６】[0033]１つの実施形態による、ドライバモジュールの機能性を図示するフロー図である。
【図１７】[0034]１つの実施形態による、全体的な光出力に関するＣＣＴに対して個々のＬＥＤ電流をプロットするグラフである。
【図１８】[0035]第１の実施形態による、１つまたは複数の照明器具を制御するための壁面取り付け式コントローラを示す図である。
【図１９】[0036]１つの実施形態による、壁面取り付け式コントローラに関する概略図である。
【発明を実施するための形態】
【００１８】
[0037]下記に述べる実施形態は、当業者が本開示を実施することを可能にし、本開示を実施する最良の形態を図示するために必要な情報を表す。添付の図面に照らして以下の説明を読むと、当業者は、本開示の概念を理解し、また、とりわけ本明細書で述べられないこれらの概念の適用を理解するであろう。これらの概念および適用が、本開示および添付の請求項の範囲内に入ることを理解されたい。
【００１９】
[0038]たとえば、「前の」、「前方の」、「後の」、「下方の」、「上方の」、「上側の」、「下側の」、「水平の」、または「垂直の」などの相対的な用語は、図に図示されるように、１つのエレメント、層、または領域と、別のエレメント、層、または領域との関係を説明するために、本明細書で使用され得ることを理解されたい。これらの用語は、図に示される配向に加えて、デバイスの異なる配向を包含することが意図されることを理解されたい。
【００２０】
[0039]特定のエリアの中の光は、さまざまな供給源から来る可能性がある。たとえば、エリアは、１つまたは複数の照明器具および補助光源を有することが可能であり、補助光源から、補助光が、１日を通して、異なるレベルで受け取られる。補助光源は、自然的なものまたは人工的なものであることが可能である。環境光は、照明器具によって提供される光と補助光源によって提供される補助光との組み合わせを説明するために使用される用語である。
【００２１】
[0040]デイライティングは、一般的に、エリアに関する環境光レベルに基づいて、照明器具によって放出される光の出力レベルを動的に調整し、エリアに関する所望の環境光レベルを維持するプロセスを表す。補助光の量が増加するにつれて、照明器具のグループは、比例的にそれらの光出力レベルを減少させ、所望の環境光レベルを維持することになる。同様に、補助光の量が減少するにつれて、照明器具のグループは、それらの光出力レベルを増加させることになる。
【００２２】
[0041]たとえば、大きい窓を備えた部屋の中に照明器具が存在しており、窓を通して、自然光が、１日を通して、および、気象条件に応じて、異なるレベルで部屋の中へ注ぎ込むことを仮定する。夜には、外部照明器具が、屋外照明を提供し、屋外照明は、窓を通過し、したがって、夜の部屋の中の環境光に寄与する。昼夜を通して、部屋の中または作業面の上の光の所望のレベルを維持しようとして、照明器具は、部屋の中の環境光レベルをセンシングし、それらが提供する光の量を調整するように構成され得、環境光が所望のレベルを維持するようになる。部屋の中の自然光の量が増加するにつれて、照明器具の光出力は減少することになり、また、その逆も同様である。したがって、デイライティングは、エネルギーを節約し、所望の照明レベルを確保することを助ける。照明器具のグループに関して、デイライティングは、器具ごとに、または、グループとして均一に提供され得る。
【００２３】
[0042]デイライティングの概念は比較的複雑ではないが、デイライティングの適用は、複雑さを伴うことが多い。たとえば、部屋が、図１に図示されるように、２つのグループの照明器具１０を有することを仮定する。グループＡは、４つの照明器具１０および壁面取り付け式コントローラＷＣＡを含み、４つの照明器具１０は、それぞれ、照明器具Ａ１、Ａ２、Ａ３、およびＡ４として個別に参照される。壁面取り付け式コントローラＷＣＡは、照明器具Ａ１、Ａ２、Ａ３、およびＡ４に関して、ターンオンし、ターンオフし、および、調光レベルまたは色温度を設定するように構成される。グループＢは、４つの照明器具１０および壁面取り付け式コントローラＷＣＢを含み、４つの照明器具１０は、照明器具Ｂ１、Ｂ２、Ｂ３、およびＢ４として個別に識別される。壁面取り付け式コントローラＷＣＢは、照明器具Ｂ１、Ｂ２、Ｂ３、およびＢ４に関して、ターンオンし、ターンオフし、および、調光レベルまたは色温度を設定するように構成される。
【００２４】
[0043]デイライティングおよび調光は、異なる概念である。デイライティングは、環境光の測定される量に基づいて、照明器具１０、または、照明器具１０のグループの光出力レベルを動的に調整することになる。光出力レベルは、調光レベルに基づいてさらに調節され得、調光レベルは、壁面取り付け式コントローラＷＣを介してユーザによって設定される。調光レベルが最大出力（１００％）に設定される場合には、デイライティングは、照明器具１０のグループに、測定される環境光の量に基づいて、それらの最大光出力レベルを低減させる。照明器具１０のグループ以外の光源が利用可能でない場合には、照明器具１０は、それらの最大光出力レベルで光を出力する。別の供給源からの光が加えられるときには、デイライティング機能は、それにしたがって、光出力レベルを調節する。
【００２５】
[0044]調光レベルが６０％に設定される場合には、デイライティングは、照明器具１０のグループに、１００％調光レベルにおいて出力されることになるものの６０％までそれらの光出力レベルを低減させる。したがって、照明器具１０は、環境光の量に基づいて、それらの出力レベルを動的に調節し続けるが、調光レベルが最大出力（１００％）に設定されたとすれば提供されることになるものの６０％において、光を出力する。
【００２６】
[0045]グループＡおよびＢが同じ部屋の中にあり、それらのグループの中の照明器具１０がデイライティング可能であるときには、制御問題が生じる可能性がある。たとえば、グループＢの照明器具１０が、より低い出力レベルに調光される場合には、グループＡの照明器具１０は、それらの出力レベルを自動的に増加させ、グループＢの照明器具１０を調光することによって引き起こされる環境光の低減を補償することになり、また、その逆も同様である。そのような結果は望ましくない。
【００２７】
[0046]デイライティングするときに、グループＢの照明器具１０が、グループＡの照明器具１０の光出力を効果的に無視することが望ましい可能性がある。本明細書で説明される概念は、その光出力が互いに相互作用し得る照明グループの中で、デイライティングを用いることに関連付けられる問題および関連する問題に関する見事な解決策を提供する。本質的には、本明細書で開示される概念は、両方のグループがデイライティングしているときに、照明器具の一方のグループが、他方のグループに実質的に影響を与えることなく、調光されることを可能にする。
【００２８】
[0047]引き続き図１を参照すると、さまざまな照明器具１０が、アンテナ記号によって明らかなように無線通信能力と、環境光センサＳＡとを装備しており、環境光センサＳＡは、出力（ルーメン）レベル、色、および／またはＣＣＴなど、環境光の特性をセンシングすることができることを仮定する。さらに、壁面取り付け式コントローラＷＣＡおよびＷＣＢは、無線通信能力も装備しており、それぞれのグループＡおよびＢの照明器具１０を制御するように構成されることを仮定する。開示される実施形態は、無線通信の使用を図示するが、有線通信も用いられ得る。
【００２９】
[0048]グループＡおよびＢのそれぞれに関するデイライティングは、グループとして提供されるか、または、器具ごとに提供され得る。たとえば、照明器具Ａ１、Ａ２、Ａ３、およびＡ４は、それらの光出力を協調させることが可能であり、照明器具Ａ１、Ａ２、Ａ３、およびＡ４のそれぞれが、任意の所与の時間において、同じ光出力を提供し、関連の環境光センサＳＡの１つまたは複数によって測定される環境光の量および所望の調光レベルに基づいて、その光出力を制御するようになる。したがって、照明器具Ａ１、Ａ２、Ａ３、およびＡ４は、協調して、一体となって作用する。代替として、照明器具Ａ１、Ａ２、Ａ３、およびＡ４のそれぞれは、それらの自身の環境光センサＳＡによって測定される環境光の量および所望の調光レベルに基づいて、それらの光出力を独立して調節することが可能である。
【００３０】
[0049]本開示に関して、グループＡおよびＢの照明器具１０は、強化されたデイライティング技法を用いる。本質的に、デイライティング技法は、グループＡの少なくとも１つの照明器具１０が、グループＢの照明器具１０によって提供される照明寄与を効果的に決定し、また、自分自身でデイライティングの決定をするときに、グループＢの照明寄与を除去することを可能にする。したがって、グループＡの照明器具１０は、グループＢの照明器具１０の調光レベルの変化を効果的に無視する。簡潔にするために、「照明器具のグループ」の用語が、壁面取り付け式コントローラＷＣＡまたはＷＣＢなどによってグループとして制御され得る１つまたは複数の照明器具１０を含む照明グループを識別するために使用される。
【００３１】
[0050]図２を参照すると、例示的な実施形態に関するフロー図が、照明器具の「選択された」グループの中にある照明器具１０の高レベルの機能性を図示するために提供される。照明器具１０は、グループＡの照明器具Ａ１であり、グループＡは、選択されたグループであると考えられることを仮定する。グループＢは、照明器具１０の「選択されていない」グループであると考えられる。照明器具Ａ１は、選択されていないグループＢの照明器具１０によって提供される照明寄与を効果的に決定し、また、そのデイライティング決定から、選択されていないグループＢによって提供される照明寄与を除去する。残りの照明器具Ａ２、Ａ３、およびＡ４は、グループＡの照明器具１０が独立してまたは均一にグループとしてデイライティングを提供するかどうかに応じて、同じプロセスを反復することが可能である。
【００３２】
[0051]１回限りのコミッショニングプロセス（ｃｏｍｉｓｓｉｏｎｉｎｇ ｐｒｏｃｅｓｓ）が、選択されたグループＡに関する基準出力レベルを決定することによって開始する（ステップＳ１００）。基準出力レベルは、照明器具Ａ１、Ａ２、Ａ３、およびＡ４のすべてがそれらの最大出力レベルにおいて光を出力しているときに、選択されたグループＡによって提供される光の量に概して対応する。基準出力レベルを決定するために、照明器具Ａ１は、選択されたグループＡの照明器具Ａ１、Ａ２、Ａ３、およびＡ４のすべてがそれらの最大出力レベルにおいて光を出力しているときの環境光レベルと、選択されたグループＡの照明器具Ａ１、Ａ２、Ａ３、およびＡ４のすべてが光を出力していないときの環境光レベルとの間の差を決定することになる。
【００３３】
[0052]次に、照明器具Ａ１は、照明器具Ｂ１、Ｂ２、Ｂ３、およびＢ４の選択されていないグループＢからの潜在的な照明寄与を決定することになる（ステップＳ１０２）。グループＢの照明寄与は、照明器具Ｂ１、Ｂ２、Ｂ３、およびＢ４の複合的な寄与、または、照明器具Ｂ１、Ｂ２、Ｂ３、およびＢ４の個々の寄与のすべてを表す、単一のメトリックであることが可能である。このステップおよびその他の詳細は、図３Ａから図３Ｄのフロー図に関連して、さらに詳細に下記に説明される。この時点において、照明器具Ｂ１、Ｂ２、Ｂ３、およびＢ４の選択されていないグループＢからの潜在的な照明寄与は、照明器具Ｂ１、Ｂ２、Ｂ３、およびＢ４がそれらの最大出力レベルにおいて光を出力しているときに提供される光の量に対応することを仮定する。
【００３４】
[0053]基準出力レベル、および、選択されていないグループＢからの潜在的な照明寄与を決定することは（ステップＳ１００およびＳ１０２）、コミッショニングプロセスの間に１度だけ起こる必要がある。しかし、そのステップは、周期的に提供されてもよいが、本明細書で説明される概念を促進させるために、規則的にまたはリアルタイムに提供される必要はない。基準出力レベル、および、選択されていないグループＢからの潜在的な照明寄与は、本質的に一定の値であり、それは、デイライティングの間に使用されることになる。以下のステップは、この実施形態に関するデイライティングの間に、繰り返しで提供される。
【００３５】
[0054]通常の動作の間に、照明器具Ａ１は、選択されていないグループＢの照明器具Ｂ１、Ｂ２、Ｂ３、およびＢ４から調光情報を受け取る（ステップＳ１０４）。たとえば、調光情報は、照明器具Ｂ１、Ｂ２、Ｂ３、およびＢ４のそれぞれが６０％調光レベルにおいて動作していることを示すことが可能である。次に、照明器具Ａ１は、選択されていないグループＢの照明器具Ｂ１、Ｂ２、Ｂ３、およびＢ４からの潜在的な照明寄与および調光情報に基づいて、照明器具Ｂ１、Ｂ２、Ｂ３、およびＢ４の選択されていないグループＢからの実際の照明寄与を決定する（ステップＳ１０６）。たとえば、潜在的な照明寄与は、調光レベルに基づいて効果的に低減され、実際の照明寄与を決定する。調光レベルが６０％である場合には、実際の照明寄与は、照明器具Ｂ１、Ｂ２、Ｂ３、およびＢ４の選択されていないグループＢの潜在的な照明寄与の６０％（調光レベル）に対応することが可能である。
【００３６】
[0055]次いで、照明器具Ａ１は、照明器具Ｂ１、Ｂ２、Ｂ３、およびＢ４の選択されていないグループＢの実際の照明寄与によって基準出力レベルを低減させ、調節された基準レベルを取得する（ステップＳ１０８）。次に、照明器具Ａ１は、ローカル調光レベルを決定する（ステップＳ１１０）。この例では、ローカル調光レベルは、壁面取り付け式コントローラＷＣＡによって提供される調光レベルである。目標レベルは、調節された基準レベルおよびローカル調光レベルに基づいて決定される（ステップＳ１１２）。ローカル調光レベルが８０％である場合には、目標レベルは、調節された基準レベルの８０％に対応することが可能である。
【００３７】
[0056]目標レベルは、照明器具Ａ１が調整されるべき環境光レベルに対応する。したがって、照明器具Ａ１は、その環境光センサＳＡをモニタリングし、環境光センサＳＡによってセンシングされるような環境光レベルが目標レベルに対応するようにその光出力を調整することになる（ステップＳ１１４）。
【００３８】
[0057]照明器具Ａ１は、目標レベルを繰り返して再計算し、ステップＳ１０４からＳ１１４において提供されるような目標レベルに調整することになる。選択されたグループＡの他の照明器具Ａ２、Ａ３、およびＡ４は、照明器具Ａ１と同じように動作することが可能である。したがって、環境照明条件が変化するときに；照明器具Ａ１、Ａ２、Ａ３、およびＡ４の選択されたグループＡに関する調光レベルが変化するときに；ならびに、照明器具Ｂ１、Ｂ２、Ｂ３、およびＢ４の選択されていないグループＢに関する調光レベルが変化するときに、照明器具Ａ１、Ａ２、Ａ３、およびＡ４の選択されたグループＡに関する目標レベルは変化することになる。最終結果は、照明器具Ａ１、Ａ２、Ａ３、およびＡ４の選択されたグループＡの実際の光出力を照明器具Ｂ１、Ｂ２、Ｂ３、およびＢ４の選択されていないグループＢの光出力から効果的に独立したものにするように、目標レベルが決定されることである。グループＢは、同じように構成され、それが、グループＢがデイライティングしている間に、グループＡに関する調光レベルの変化によって影響を与えられないようになる。
【００３９】
[0058]ここで図３Ａから図３Ｆを見てみると、照明器具Ａ１に関する基準出力レベル、および、選択されていないグループＢの照明寄与を決定する詳細例が、例示的な実施形態に関して提供される。簡単にするために、選択されたグループＡは、照明器具Ａ１およびＡ２だけを含み、選択されていないグループＢは、照明器具Ｂ１およびＢ２だけを含むことを仮定する。そうでなければ、照明環境は、図１に示されるように構成されることを仮定する。このプロセスは、グループＡおよびＢの両方の中の照明器具１０のそれぞれに関して繰り返され得る。
【００４０】
[0059]最初に、照明器具Ａ１は、コミッショニングプロセスを開始させ（ステップＳ２００）、コミッショニングプロセスを開始させるためのメッセージ（ＭＳＧ）を、照明器具、Ａ２、Ｂ１、およびＢ２に送信する（ステップＳ２０２）。それに応答して、照明器具Ｂ１およびＢ２は、他に指示がなされるまで、設定出力レベルに移行するか、または、設定出力レベルを維持する（ステップＳ２０４およびＳ２０６）。照明器具Ｂ１およびＢ２は、受信確認メッセージ（ＡＣＫ）を照明器具Ａ１に提供して戻し、他に指示がなされるまで、それらが、それらの光出力レベルが固定された状態に維持しようとすることを確認する（ステップＳ２０８およびＳ２１０）。
【００４１】
[0060]次に、照明器具Ａ１は、その選択されたグループＡの中の他の照明器具１０にそれらのフル出力レベルにおいて光を出力するように指示する（ステップＳ２１２）。このケースでは、選択されたグループＡの中の唯一の他の照明器具は、照明器具Ａ２である。命令を受け取ると、照明器具Ａ２は、そのフル出力レベルにおいて光を出力し（ステップＳ２１４）、受信確認メッセージを照明器具Ａ１に提供して戻す（ステップＳ２１６）。また、照明器具Ａ１も、そのフル出力レベルにおいて光を出力する（ステップＳ２１８）。この時点において、選択されたグループＡの中の照明器具１０のそれぞれは、そのフル出力レベルにおいて光を出力している。その環境光センサＳＡを使用して、照明器具Ａ１は、選択されたグループＡの照明器具１０のすべてがそれらのフル出力レベルにおいて光を出力している状態で、環境光レベルを測定する（ステップＳ２２０）。選択されたグループＡの中の照明器具Ａ１およびＡ２のすべてがそれらのフル出力レベルにおいて光を出力している状態の環境光レベルは、ＡＭＢＬＡ１，ＯＮとして参照される。
【００４２】
[0061]次に、照明器具Ａ１は、その選択されたグループＡの中の照明器具１０に、ターンオフするように、または、光を出力することを停止するように指示する（ステップＳ２２２）。繰り返しになるが、選択されたグループＡの中の唯一の他の照明器具１０は、照明器具Ａ２である。命令を受け取ると、照明器具Ａ２は、光を出力することを停止し（ステップＳ２２４）、受信確認メッセージを照明器具Ａ１に提供して戻す（ステップＳ２２６）。また、照明器具Ａ１も、光を出力することを停止する（ステップＳ２２８）。この時点において、選択されたグループＡの中の照明器具はいずれも、光を出力していない。その環境光センサＳＡを使用して、照明器具Ａ１は、選択されたグループＡの照明器具１０のいずれも光を出力していない状態の環境光レベルを測定する（ステップＳ２３０）。選択されたグループＡの中の照明器具１０のいずれも光を出力していない状態の環境光レベルは、ＡＭＢＬＡ１，ＯＦＦとして参照される。
【００４３】
[0062]次に、照明器具Ａ１は、その基準出力レベルＲＥＦＬＡ１を計算する（ステップＳ２３２）。基準出力レベルＲＥＦＬＡ１は、選択されたグループＡの中の照明器具１０のすべてがそれらのフル出力レベルにおいて光を出力している状態の環境光レベルと、選択されたグループＡの中の照明器具１０のいずれも光を出力していない状態の環境光レベルとの間の差に対応する。たとえば、ＲＥＦＬＡ１＝ＡＭＢＬＡ１，ＯＦＦ−ＡＭＢＬＡ１，ＯＦＦである。
【００４４】
[0063]基準出力レベルＲＥＦＬＡ１は、選択されたグループＡの中の照明器具１０のすべてがグループとしてターンオンおよびターンオフしている状態で計算される。照明器具Ａ１によって測定されるように、選択されていないグループＢからの照明寄与を決定するために、グループの照明寄与は、全体として、または、器具ごとに、特徴付けられ得る。以下は、器具ごとのアプローチを図示しており、それは、より正確になる傾向がある。グループアプローチに関して、選択されていないグループＢの中のそれぞれの照明器具１０は、単に、一体となって動作することになり、選択されたグループＡの中の照明器具Ａ１および他の照明器具１０の観点からすれば、本質的に、単一の照明器具のように見えることになる。以下のプロセスに関して、選択されたグループＡの中の照明器具１０に関する出力レベルは、一定の出力レベルに維持されるべきであり、それは、フルレベル、オフレベル、または、調光されたレベルであることが可能である。
【００４５】
[0064]次に、照明器具Ａ１は、選択されていないグループＢの中の照明器具Ｂ１だけに、フル出力レベルにおいて光を出力するように指示する（ステップＳ２３４）。命令を受け取ると、照明器具Ｂ１は、そのフル出力レベルにおいて光を出力し（ステップＳ２３６）、受信確認メッセージを照明器具Ａ１に提供して戻す（ステップＳ２３８）。その環境光センサＳＡを使用して、照明器具Ａ１は、照明器具Ｂ１がそのフル出力レベルにおいて光を出力している状態の環境光レベルを測定する（ステップＳ２４０）。照明器具Ｂ１がそのフル出力レベルにおいて光を出力している状態のこの環境光レベルは、ＡＭＢＢ１，ＯＮとして参照される。
【００４６】
[0065]次に、照明器具Ａ１は、選択されていないグループＢの中の照明器具Ｂ１だけに、光を出力することを停止するように指示する（ステップＳ２４２）。命令を受け取ると、照明器具Ｂ１は、光を出力することを停止し（ステップＳ２４４）、受信確認メッセージを照明器具Ａ１に提供して戻す（ステップＳ２４６）。その環境光センサＳＡを使用して、照明器具Ａ１は、照明器具Ｂ１が光を出力していない状態の環境光レベルを測定する（ステップＳ２４８）。照明器具Ｂ１が光を出力していない状態のこの環境光レベルは、ＡＭＢＢ１，ＯＦＦとして参照される。
【００４７】
[0066]次に、照明器具Ａ１は、選択されていないグループＢの中の照明器具Ｂ１だけに、設定出力レベルにおいて光を出力することに戻るように指示し（ステップＳ２５０）、設定出力レベルは、ステップＳ２０４において設定された出力レベルである。命令を受け取ると、照明器具Ｂ１は、設定出力レベルにおいて光を出力することに移行し（ステップＳ２５２）、受信確認メッセージを照明器具Ａ１に提供して戻す（ステップＳ２５４）。次いで、照明器具Ａ１は、照明器具Ｂ１がフル出力レベルにおいて光を出力していたときの環境光レベルＡＭＢＢ１，ＯＮと、照明器具Ｂ１が光を出力していなかったときの環境光レベルＡＭＢＢ１，ＯＮとの間の差を見ることによって、照明器具Ｂ１からの照明寄与ＣＯＮＴＢ１を決定する（ステップＳ２５６）。たとえば、ＣＯＮＴＢ１＝ＡＭＢＢ１，ＯＮ−ＡＭＢＢ１，ＯＦＦである。
【００４８】
[0067]照明器具Ｂ１からの照明寄与が決定されると、照明器具Ａ１は、次に、照明器具Ｂ２からの照明寄与を決定することになる。したがって、照明器具Ａ１は、次に、選択されていないグループＢの中の照明器具Ｂ２だけに、フル出力レベルにおいて光を出力するように指示する（ステップＳ２５８）。命令を受け取ると、照明器具Ｂ２は、そのフル出力レベルにおいて光を出力し（ステップＳ２６０）、受信確認メッセージを照明器具Ａ１に提供して戻す（ステップＳ２６２）。その環境光センサＳＡを使用して、照明器具Ａ１は、照明器具Ｂ２がそのフル出力レベルにおいて光を出力している状態の環境光レベルを測定する（ステップＳ２６４）。照明器具Ｂ２がそのフル出力レベルにおいて光を出力している状態のこの環境光レベルは、ＡＭＢＢ２，ＯＮとして参照される。
【００４９】
[0068]次に、照明器具Ａ１は、次に、選択されていないグループＢの中の照明器具Ｂ２だけに、光を出力することを停止するように指示する（ステップＳ２６６）。命令を受け取ると、照明器具Ｂ２は、光を出力することを停止し（ステップＳ２６８）、受信確認メッセージを照明器具Ａ１に提供して戻す（ステップＳ２７０）。その環境光センサＳＡを使用して、照明器具Ａ１は、照明器具Ｂ２が光を出力していない状態の環境光レベルを測定する（ステップＳ２７２）。照明器具Ｂ１が光を出力していない状態のこの環境光レベルは、ＡＭＢＢ２，ＯＦＦとして参照される。
【００５０】
[0069]次に、照明器具Ａ１は、選択されていないグループＢの中の照明器具Ｂ２だけに、設定出力レベルにおいて光を出力することに戻るように指示し（ステップＳ２７４）、設定出力レベルは、ステップＳ２０４において設定された出力レベルである。命令を受け取ると、照明器具Ｂ２は、設定出力レベルにおいて光を出力することに移行し（ステップＳ２７６）、受信確認メッセージを照明器具Ａ１に提供して戻す（ステップＳ２７８）。次いで、照明器具Ａ１は、照明器具Ｂ２がフル出力レベルにおいて光を出力していたときの環境光レベルＡＭＢＢ２，ＯＮと、照明器具Ｂ２が光を出力していなかったときの環境光レベルＡＭＢＢ２，ＯＦＦとの間の差を見ることによって、照明器具Ｂ２からの照明寄与ＣＯＮＴＢ２を決定する（ステップＳ２８０）。たとえば、ＣＯＮＴＢ２＝ＡＭＢＢ２，ＯＮ−ＡＭＢＢ２，ＯＦＦである。
【００５１】
[0070]この時点において、コミッショニングプロセスは終了し（ステップＳ２８２）、照明器具Ａ１は、そのことを示すメッセージを送信する（ステップＳ２８４）。それに応答して、選択されたグループＡおよび選択されていないグループＢの中の他の照明器具（Ａ２、Ｂ１、およびＢ２）のそれぞれは、それらの元の光出力レベルに移行し、元の光出力レベルは、プロセスが開始する前に実施されたものである（ステップＳ２８６、Ｓ２８８、Ｓ２９０）。また、照明器具Ａ１も、その元の光出力レベルに移行する（ステップＳ２９２）。
【００５２】
[0071]この時点において、このプロセスは、選択されたグループＡの中の照明器具１０のそれぞれに関して繰り返す。また、プロセスは、グループＢの中の照明器具１０のそれぞれに関して提供され、グループＢに対するグループＡの照明寄与を決定する。さまざまな寄与のすべてが特徴付けられると、デイライティング動作は、下記に説明されるように開始することが可能である。
【００５３】
[0072]図３Ａから図３Ｄのフロー図を引き続き見ると、および、照明器具Ａ１の観点から、照明器具Ａ１は、そのローカル調光レベルＤＬＬＯＣＡＬを決定することになり、それは、壁面取り付け式コントローラＷＣＡから受け取ったものであることが可能である（ステップＳ２９４）。また、照明器具Ａ１は、選択されていないグループＢの照明器具１０（Ｂ１およびＢ２）のそれぞれから、さまざまな調光レベルＤＬＢ１、ＤＬＢ２を受け取る（ステップＳ２９６およびＳ２９８）。照明器具Ｂ１およびＢ２からの調光レベルは、変化されたときなどに、選択されたグループＡの中の照明器具Ａ１および他の照明器具１０に周期的に提供され得る。
【００５４】
[0073]この時点において、照明器具Ａ１は、光出力が調整される目標レベルを決定する（ステップＳ３００）。１つの実施形態では、目標レベルＴＬは、以下のように決定される。ＴＬ＝ＤＬＬＯＣＡＬ（ＲＥＦＬＡ１−（ＣＯＮＴＢ１ｘＤＬＢ１＋ＣＯＮＴＢ２ｘＤＬＢ２＋．．．．ＣＯＮＴＢＮｘＤＬＢＮ））。照明器具Ａ１は、環境光センサＳＡをモニタリングし、環境光センサＳＡからの測定値が目標レベルに対応するようにその光出力レベルを調整することになる（ステップＳ３０２）。
【００５５】
[0074]照明器具Ａ１がこのように機能している間に、グループＡの中の他の照明器具１０が、グループＢに対して同じように機能している。同様に、グループＢの中の照明器具１０のそれぞれは、グループＡに対してこのように機能している。したがって、それぞれのグループＡおよびＢの照明器具１０は、それぞれの他の影響に対して互いに効果的に連結される。１つのグループの中の調光は、他のグループの光出力に影響を与えるべきではない。
【００５６】
[0075]上記に示されるように、および、本明細書で定義されるように、「照明器具１０のグループ」は、１つまたは複数の照明器具１０を含むことが可能である。特定のグループの中のそれぞれの照明器具１０は、グループとして調光している間に、個別にデイライティングを提供するように構成され得る。代替として、特定のグループの中のそれぞれの照明器具１０は、グループとしてデイライティングおよび調光することが可能である。したがって、別のグループの中の照明器具１０の環境照明寄与は、全体として、または、個別に、統一された様式で取り扱われ得、１つの照明器具１０が、目標レベルを決定し、他の照明器具１０に特定の出力レベルにおいて光を出力するように指示する。また、照明器具１０を制御することは、グループの中の他の照明器具１０と目標レベルを共有することが可能であり、照明器具は、目標レベルに基づいて、それらの出力レベルを計算する。当業者は、上記に開示される概念を実装するためのさまざまな方式を理解するであろう。
【００５７】
[0076]図４を参照すると、代替的な構成が図示されており、そこでは、グループＢの中の照明器具Ｂ１’、Ｂ２’、およびＢ３’のそれぞれが、制御モジュールＣＭ１によって制御される。したがって、制御モジュールＣＭ１は、上記に説明されるように、本質的に照明器具Ａ１と同じように機能することになる。主な相違は、制御モジュールＣＭ１が、統合された光源を有しておらず、上記に説明されるように、照明器具Ｂ１’、Ｂ２’、およびＢ３’の光出力レベルを制御することになることである。しかし、照明器具Ｂ１’、Ｂ２’、Ｂ３’、およびＢ４’は、それらの光源に関するドライバまたは制御電子機器を有する必要がない可能性がある。制御モジュールＣＭ１は、単に、その光源を駆動するための電子機器を含む照明器具１０に制御を提供することが可能である。照明器具１０が光源だけを含む場合には、制御モジュールＣＭ１は、光源に関する駆動信号を提供することも可能である。
【００５８】
[0077]先の議論は、光出力レベルに関して、照明器具の関連のグループを切り離すことに関する。開示される概念は、スペクトル成分に拡張され得る。それぞれの照明器具１０からのスペクトル成分、または、そのグループからのスペクトル成分は、光出力レベルと同じように分解され得る。照明器具１０がターンオンされるときに、および、照明器具１０がターンオフされるときに、スペクトル成分を測定することによって、その照明器具１０のスペクトルの寄与は、他の照明器具１０によって、または、そのグループによって、定量化され、効果的に無視され得る。したがって、照明器具１０の１つのグループが、その色または相関色温度（ＣＣＴ）を変化させるときに、他のグループは、それらの変化を効果的に無視することが可能である。上記に説明されるプロセスおよび機能性が適用され、色またはＣＣＴなど、スペクトル成分が、全体的な光出力（ルーメンレベル）の代わりに、測定および適用される。さらに、これらのアプローチの組み合わせも可能である。
【００５９】
[0078]ここで、上記に説明される概念が実装され得る例示的な照明器具が説明される。本開示の概念は、任意のタイプの照明システムの中で用いられ得るが、すぐ後に続く説明は、図５から図７に図示される照明器具１０など、反射板タイプの照明器具において、これらの概念を説明する。この特定の照明器具は、Ｄｕｒｈａｍ、Ｎ．Ｃ．のＣｒｅｅ，Ｉｎｃ．によって製造されるＣＲシリーズおよびＣＳシリーズの反射板タイプの照明器具と実質的に同様である。
【００６０】
[0079]開示される照明器具１０は、間接的な照明構成を用い、光が、最初に光源から上向きに放出され、次いで下向きに反射されるが、直接的な照明構成も、本開示の概念を利用することが可能である。また、反射板タイプの照明器具に加えて、本開示の概念は、埋め込み型の照明構成、壁装着型の照明構成、および屋外照明構成などにおいても用いられ得る。同時係属中でかつ同一譲受人に譲渡された、２０１３年８月２０日に出願された米国特許出願第１３／５８９，８９９号、２０１２年１０月１１日に出願された米国特許出願第１３／６４９、５３１号、および、米国特許第８，８２９，８００号に対して参照が行われ、それらの内容は、それらの全体が、参照により本明細書に組み込まれる。さらに、下記に説明される機能性および制御技法が使用され、異なるタイプの照明器具を制御することが可能であり、また、同じかまたは異なるタイプの照明器具の異なるグループを同時に制御することが可能である。
【００６１】
[0080]一般的に、照明器具１０など反射板タイプの照明器具は、天井の中に、天井の上に、または天井から装着するように設計される。ほとんどの適用例では、反射板タイプの照明器具は、商業施設、教育施設、または官公庁施設の吊り天井（図示せず）の中に装着される。図５から図７に図示されるように、照明器具１０は、正方形または長方形の外側フレーム１２を含む。照明器具１０の中央部分には、２つの長方形レンズ１４が存在し、長方形レンズ１４は、一般的に、透明であるか、半透明であるか、または不透明である。反射体１６は、外側フレーム１２からレンズ１４の外側縁部へ延在する。レンズ１４は、反射体１６の最も内側の部分の間で細長いヒートシンク１８まで効果的に延在し、ヒートシンク１８は、レンズ１４の２つの内側の縁部を接合するように機能する。
【００６２】
[0081]ここで、とりわけ図６および図７を見てみると、ヒートシンク１８の後側は、ＬＥＤアレイ２０のための装着構造体を提供し、ＬＥＤアレイ２０は、適当な基板の上に装着された個々のＬＥＤの１つまたは複数の列を含む。ＬＥＤは、凹形カバー２２に向けて主に上向きに光を放出するように配向される。カバー２２、レンズ１４、および、ヒートシンク１８の後部によって境界を定められる体積は、混合チャンバ２４を提供する。したがって、図７に図示されるように、光は、ＬＥＤアレイ２０のＬＥＤからカバー２２に向けて上向きに発せられることになり、それぞれのレンズ１４を通過するように下向きに反射されることになる。留意すべきことには、ＬＥＤから放出されるすべての光線が、カバー２２の底部から直接的に反射し、単一の反射で、特定のレンズ１４を通過するように戻るわけではない。光線の多くは、混合チャンバ２４の中で跳ね返り、他の光線と効果的に混合することになり、望ましくは均一な光がそれぞれのレンズ１４を通して放出されるようになる。
【００６３】
[0082]多くの他の変数の中でも、レンズ１４のタイプ、ＬＥＤのタイプ、カバー２２の形状、および、カバー２２の底部側の上の任意のコーティングが、照明器具１０によって放出される光の量および品質に影響を与えることになることを当業者は理解するであろう。より詳細に下記に議論されるように、ＬＥＤアレイ２０は、異なる色のＬＥＤを含むことが可能であり、さまざまなＬＥＤから放出される光は、一緒に混合され、特定の実施形態に関する設計パラメータに基づく所望の色温度および品質を有する白色光を形成する。
【００６４】
[0083]図６および図７から明らかであるように、ヒートシンク１８の細長いフィンは、照明器具１０の底部から見ることが可能である。ヒートシンク１８の上側に沿って熱接触した状態でＬＥＤアレイ２０のＬＥＤを設置することは、ＬＥＤによって発生される任意の熱が、ヒートシンク１８の底部側の細長いフィンに効果的に伝達され、照明器具１０が装着される部屋の中で消散することを可能にする。繰り返しになるが、図５から図７に図示される照明器具１０の特定の構成は、単に、本開示の概念が適用可能である照明器具１０に関する事実上限定のない構成のうちの１つに過ぎない。
【００６５】
[0084]引き続き図６および図７を参照すると、電子機器ハウジング２６は、照明器具１０の一方の端部に装着されるように示され、ＬＥＤアレイ２０に電力供給して制御するために使用される電子機器のすべてまたは一部分を収容するために使用される。これらの電子機器は、適当なケーブル配線２８を通してＬＥＤアレイ２０に連結される。図８を参照すると、電子機器ハウジング２６の中に設けられる電子機器は、ドライバモジュール３０および通信モジュール３２に分割され得る。
【００６６】
[0085]高いレベルでは、ドライバモジュール３０は、ケーブル配線２８を通してＬＥＤアレイ２０に連結され、通信モジュール３２によって提供される制御情報に基づいてＬＥＤアレイ２０のＬＥＤを直接的に駆動する。１つの実施形態では、ドライバモジュール３０は、照明器具１０に関するプライマリインテリジェンス（ｐｒｉｍａｒｙ  ｉｎｔｅｌｌｉｇｅｎｃｅ）を提供し、ＬＥＤアレイ２０のＬＥＤを所望のように駆動することが可能である。ドライバモジュール３０は、設計者の要求に応じて、単一の統合されたモジュールの上に設けられるか、または、２つ以上のサブモジュールに分割され得る。
【００６７】
[0086]ドライバモジュールが、照明器具１０に関するプライマリインテリジェンスを提供するときに、通信モジュール３２は、インテリジェント通信インターフェースとして作用し、インテリジェント通信インターフェースは、ドライバモジュール３０と、他の照明器具１０、リモート制御システム（図示せず）、または、携帯型のハンドヘルド式のコミッショニングツール３６との間の通信を促進させ、コミッショニングツール３６は、また、有線方式または無線方式で、リモート制御システムと通信するように構成され得る。
【００６８】
[0087]代替として、ドライバモジュール３０は、主に、通信モジュール３２からの命令に基づいて、ＬＥＤアレイ２０のＬＥＤを駆動するように構成され得る。そのような実施形態では、照明器具１０のプライマリインテリジェンスは、通信モジュール３２の中に提供され、それは、照明器具１０に関して、有線通信能力または無線通信能力を備える全体的な制御モジュールに効果的になる。照明器具１０は、センサデータ、命令、および、任意の他のデータを、照明ネットワークの中の他の照明器具１０と、または、リモートエンティティと、共有することが可能である。本質的には、通信モジュール３２は、照明器具１０および他のエンティティの間でのインテリジェンスおよびデータの共有を促進させる。
【００６９】
[0088]図８の実施形態では、通信モジュール３２は、ドライバモジュール３０とは別個のプリント回路基板（ＰＣＢ）の上に実装され得る。ドライバモジュール３０および通信モジュール３２のそれぞれのＰＣＢは、通信モジュール３２のコネクタがドライバモジュール３０のコネクタの中に差し込まれることを可能にするように構成され得、通信モジュール３２のコネクタがドライバモジュール３０の嵌め合いコネクタの中に差し込まれると、通信モジュール３２はドライバモジュール３０に機械的に装着されるかまたは固着される。
【００７０】
[0089]他の実施形態では、ドライバモジュール３０および通信モジュール３２のそれぞれのコネクタを接続するために、ケーブルが使用され得、通信モジュール３２をドライバモジュール３０に物理的に連結するために、他の取り付け機構が使用され得、または、ドライバモジュール３０および通信モジュール３２は、電子機器ハウジング２６の内側に別々に固着され得る。そのような実施形態では、電子機器ハウジング２６の内部は、ドライバモジュール３０および通信モジュール３２の両方を収容するように適当にサイズ決めされる。多くの事例では、電子機器ハウジング２６は、ドライバモジュール３０および通信モジュール３２の両方のためのプレナム定格エンクロージャーを提供する。
【００７１】
[0090]この実施形態では、照明器具１０は、占有センサＳＯ、環境光センサＳＡ、温度センサ、サウンドセンサ（マイクロホン）、およびイメージ（スチールまたはビデオ）センサなど、１つまたは複数のセンサを含むことが可能である。複数のセンサが設けられる場合には、それらは、同じかまたは異なる環境条件をセンシングするために使用され得る。複数のセンサが同じ環境条件をセンシングするために使用される場合には、異なるタイプのセンサが使用され得る。同様に、単一のセンサが、異なる環境条件をセンシングするために使用され得る。たとえば、イメージセンサが、環境光センシングおよび占有センシングの両方のために使用され得る。
【００７２】
[0091]ここで図９を見てみると、１つの実施形態による照明器具１０の電気的なブロック図が提供される。議論の目的のために、ドライバモジュール３０、通信モジュール３２、およびＬＥＤアレイ２０が、照明器具１０のコアエレクトロニクス（ｃｏｒｅ  ｅｌｅｃｔｒｏｎｉｃｓ）を形成するために最終的に接続されること、ならびに、通信モジュール３２が、有線技法または無線技法を通して、他の照明器具１０、コミッショニングツール３６、または、他の制御エンティティと双方向に通信するように構成されることを仮定する。環境光センサＳＡおよび占有センサＳＯは、センサモジュール３８の中に組み込まれ得る。
【００７３】
[0092]この実施形態では、標準的な通信インターフェース、および、第１のまたは標準的なプロトコルが、ドライバモジュール３０と通信モジュール３２との間で使用される。ドライバモジュール３０および通信モジュール３２の両方が、標準的な通信インターフェースによって使用される標準的なプロトコルにしたがって動作していると仮定すると、この標準的なプロトコルは、異なるドライバモジュール３０が異なる通信モジュール３２と通信し、異なる通信モジュール３２によって制御されることを可能にする。「標準的なプロトコル」という用語は、任意のタイプの、公知の、または将来開発される、独占的なまたは業界標準化されたプロトコルを意味するように定義される。
【００７４】
[0093]図示される実施形態では、ドライバモジュール３０および通信モジュール３２は、通信バスおよび電力バスを介して連結され、通信バスおよび電力バスは、分離しているか、または、互いに統合され得る。通信バスは、通信モジュール３２が、ドライバモジュール３０から情報を受け取ること、および、ドライバモジュール３０を制御することを可能にする。例示的な通信バスは、周知の集積回路間（Ｉ２Ｃ）バスであり、集積回路間（Ｉ２Ｃ）バスは、シリアルバスであり、典型的に、データラインおよびクロックラインを用いる２線式インターフェースによって実装される。他の利用可能なバスは、シリアル・ペリフェラル・インターフェース（ＳＰＩ）バス、Ｄａｌｌａｓ  Ｓｅｍｉｃｏｎｄｕｃｔｏｒ  Ｃｏｒｐｏｒａｔｉｏｎの１線式シリアルバス、ユニバーサルシリアルバス（ＵＳＢ）、ＲＳ−２３２、および、Ｍｉｃｒｏチップ  技術  ＩｎｃｏｒｐｏｒａｔｅｄのＵＮＩ／Ｏ（登録商標）などを含む。
【００７５】
[0094]この実施形態では、ドライバモジュール３０は、センサモジュール３８の環境光センサＳＡおよび占有センサＳＯからデータを収集するように構成され、また、ＬＥＤアレイ２０のＬＥＤを駆動するように構成される。環境光センサＳＡおよび占有センサＳＯから収集されるデータ、ならびに、ドライバモジュール３０の任意の他の動作パラメータは、通信モジュール３２と共有され得る。したがって、通信モジュール３２は、ドライバモジュール３０の構成または動作についてのデータ、ならびに、ＬＥＤアレイ２０、環境光センサＳＡ、および占有センサＳＯによってドライバモジュール３０に利用可能にされ得る任意の情報を収集することが可能である。収集されたデータは、どのようにドライバモジュール３０が動作するかということを制御するために、通信モジュール３２によって使用され得、または、他の照明器具１０もしくは制御エンティティと共有され得、または、他の照明器具１０に送られる命令を発生させるために処理され得る。留意すべきことには、センサモジュール３８は、ドライバモジュール３０に直接的に連結される代わりに、通信バスに連結され得、センサモジュール３８からのセンサ情報が、通信バスを介してドライバモジュール３０または通信モジュール３２に提供され得るようになる。
【００７６】
[0095]また、通信モジュール３２は、コミッショニングツール３６または別の照明器具１０など、リモート制御エンティティによって、全体的にまたは部分的に制御され得る。一般的に、通信モジュール３２は、他の照明器具１０またはリモート制御エンティティによって提供されるセンサデータおよび命令を処理し、次いで、通信バスを通じてドライバモジュール３０に命令を提供することになる。それを見る代替的な方式は、通信モジュール３２が、占有センシング、環境光センシング、調光器スイッチ設定などを含む、システムの情報の共有を促進させ、この情報をドライバモジュール３０に提供し、次いで、ドライバモジュール３０が、その自身の内部ロジックを使用して、どのようなアクションがとられるべきであるかを決定することである。ドライバモジュール３０は、ＬＥＤアレイ２０に提供される駆動電流または電圧を適当に制御することによって、応答することになる。
【００７７】
[0096]特定の実施形態では、ドライバモジュール３０は、交流電流（ＡＣ）入力信号（ＡＣ  ＩＮ）を処理し、通信モジュール３２、および、おそらくＬＥＤアレイ２０に電力供給するのに十分な適当な整流されたまたは直流電流（ＤＣ）信号を提供するために、十分な電子機器を含む。したがって、通信モジュール３２は、その中に存在する電子機器に電力供給するために、別個のＡＣ−ＤＣ変換回路を必要とせず、電力バスを通じてドライバモジュール３０からＤＣ電力を単に受け取ることが可能である。同様に、センサモジュール３８は、ドライバモジュール３０から直接的に、または、電力バスを介して、電力を受け取ることが可能であり、電力バスは、ドライバモジュール３０または他の供給源によって電力供給される。また、センサモジュール３８は、ドライバモジュール３０および通信モジュール３２から独立して、電源（図示せず）に連結され得る。
【００７８】
[0097]１つの実施形態では、標準的な通信インターフェースの１つの態様は、標準的な電力送達システムの定義である。たとえば、電力バスは、５ボルト、１２ボルト、または２４ボルトなど、低電圧レベルに設定され得る。ドライバモジュール３０は、ＡＣ入力信号を処理し、規定された低電圧レベルを提供し、電力バスを通じてその電圧を提供するように構成され、したがって、通信モジュール３２、または、センサモジュール３８など補助デバイスは、通信モジュール３２またはセンサモジュール３８の電子機器に電力供給するために、ＤＣ電力信号に接続するか、または、ＡＣ信号をＤＣ電力信号に処理することを気にすることなく、所望の低電圧レベルがドライバモジュール３０によって電力バスを通じて提供されることを予想して設計され得る。
【００７９】
[0098]留意すべきことには、図４の制御モジュールＣＭ１は、通信モジュール３２およびドライバモジュール３０の両方を有するように構成され得、ドライバモジュール３０は、ＬＥＤアレイ２０など光源だけを本質的に有する複数の照明器具を駆動するように構成される。代替として、照明器具１０は、ドライバモジュール３０および光源を有することが可能であり、制御モジュールＣＭ１は、通信モジュール３２を有し、照明器具１０のうちの１つまたは複数をグループとして制御することが可能である。
【００８０】
[0099]図１０を参照すると、通信モジュール３２の１つの実施形態のブロック図が図示される。通信モジュール３２は、制御回路４０および関連のメモリ４２を含み、メモリ４２は、必須のソフトウェア命令およびデータを含有し、本明細書で説明されるような動作を促進させる。制御回路４０は、通信インターフェース４４に関連付けられ得、通信インターフェース４４は、直接的に、または、通信バスを介して間接的に、ドライバモジュール３０に連結される。制御回路４０は、有線通信ポート４６、無線通信ポート４８、または、その両方に関連付けられ、他の照明器具１０、コミッショニングツール３６、およびリモート制御エンティティとの有線通信または無線通信を促進させることが可能である。無線通信ポート４８は、必須のトランシーバ電子機器を含み、リモートエンティティとの無線通信を促進させることが可能である。有線通信ポート４６は、ユニバーサルシリアル（ＵＳＢ）、イーサネット（登録商標）、または、同様のインターフェースをサポートすることが可能である。
【００８１】
[00100]通信モジュール３２の能力は、１つの実施形態ごとに大きく変化してもよい。たとえば、通信モジュール３２は、ドライバモジュール３０と他の照明器具１０またはリモート制御エンティティとの間の単純なブリッジとして作用することが可能である。そのような実施形態では、制御回路４０は、他の照明器具１０またはリモート制御エンティティから受け取られたデータおよび命令をドライバモジュール３０に主に渡すことになり、また、その逆も同様である。制御回路４０は、ドライバモジュール３０と通信モジュール３２との間の通信、および、通信モジュール３２とリモート制御エンティティとの間の通信を促進させるために使用されるプロトコルに基づいて、必要に応じて命令を翻訳してもよい。
【００８２】
[00101]他の実施形態では、制御回路４０は、照明器具１０の間でインテリジェンスを調整し、データを共有する際に、および、ドライバモジュール３０のかなりの制御（完全でない場合）を提供する際に、重要な役割を果たす。通信モジュール３２は、それ自身によってドライバモジュール３０を制御することが可能であるが、制御回路４０は、他の照明器具１０またはリモート制御エンティティからデータおよび命令を受け取り、この情報を使用して、ドライバモジュール３０を制御するように構成されてもよい。また、関連のドライバモジュール３０からのセンサデータに基づいて、ならびに、他の照明器具１０およびリモート制御エンティティから受け取られるセンサデータおよび命令に基づいて、通信モジュール３２は、他の照明器具１０およびリモート制御エンティティに命令を提供することも可能である。
【００８３】
[00102]制御回路４０、メモリ４２、通信インターフェース４４、ならびに、有線通信ポート４６および／または無線通信ポート４８のための電力は、電力ポートを介して電力バスを通じて提供され得る。上記に述べられるように、電力バスは、ドライバモジュール３０からその電力を受け取ることが可能であり、ドライバモジュール３０は、ＤＣ電力信号を発生させる。したがって、通信モジュール３２は、ＡＣ電力に接続される必要がないか、または、整流器および変換回路を含む必要がない可能性がある。電力ポートおよび通信ポートは、別々になってもよく、または、標準的な通信インターフェースと統合されてもよい。電力ポートおよび通信ポートは、明確化のために別々に示される。１つの実施形態では、通信バスは、２線式のシリアルバスであり、コネクタまたはケーブル配線構成は、通信バスおよび電力バスが、４つのワイヤ、すなわち、データ、クロック、電力、およびグランドを使用して設けられるように構成され得る。代替的な実施形態では、ＡＣ電力またはバッテリに関連付けられる内部電力供給部５０が、電力を供給するために使用される。
【００８４】
[00103]通信モジュール３２は、ＬＥＤ５２などステータスインジケーターを有し、通信モジュールの動作状態を示すことが可能である。さらに、ユーザインターフェース５４は、ユーザが通信モジュール３２と手動で相互作用することを可能にするように設けられ得る。ユーザインターフェース５４は、入力機構、出力機構、または、その両方を含むことが可能である。入力機構は、ボタン、キー、キーパッド、またはタッチスクリーンなどのうちの１つまたは複数を含むことが可能である。出力機構は、１つまたは複数のＬＥＤまたはディスプレイなどを含むことが可能である。この適用の目的のために、ボタンは、プッシュボタンスイッチ、トグルスイッチのすべてもしくは一部、回転式ダイヤル、スライダ、または、任意の他の機械的な入力機構を含むように定義される。
【００８５】
[00104]ＬＥＤアレイ２０およびドライバモジュール３０の例示的な実施形態の説明は以下の通りである。述べられるように、ＬＥＤアレイ２０は、図１１および図１２に図示されるＬＥＤ５６など複数のＬＥＤを含む。図１１を参照すると、単一のＬＥＤチップ５８が、はんだまたは導電性エポキシを使用して反射性カップ６０の上に装着され、ＬＥＤチップ５８のカソード（または、アノード）のためのオーミックコンタクトが、反射性カップ６０の底部に電気的に連結されるようになる。反射性カップ６０は、ＬＥＤ５６の第１のリード線６２に連結されるか、または、それと一体的に形成されるかのいずれかである。１つまたは複数のボンドワイヤ６４は、ＬＥＤチップ５８のアノード（または、カソード）のためのオーミックコンタクトを第２のリード線６６に接続する。
【００８６】
[00105]反射性カップ６０は、ＬＥＤチップ５８をカプセル化するカプセル化材料６８で充填され得る。カプセル化材料６８は、透明であることが可能であり、または、蛍光体など波長変換材料を含有することが可能であり、それは、より詳細に下記に説明される。アッセンブリ全体が、透明の保護樹脂７０の中にカプセル化され、透明の保護樹脂７０は、レンズの形状に成形され、ＬＥＤチップ５８から放出される光を制御することが可能である。
【００８７】
[00106]ＬＥＤ５６のための代替的なパッケージが、図１２に図示され、ＬＥＤチップ５８が基板７２の上に装着される。とりわけ、ＬＥＤチップ５８のアノード（または、カソード）のためのオーミックコンタクトは、基板７２の表面の上の第１のコンタクトパッド７４に直接的に装着される。ＬＥＤチップ５８のカソード（または、アノード）のためのオーミックコンタクトは、ボンドワイヤ７８を使用して、第２のコンタクトパッド７６に接続され、第２のコンタクトパッド７６も、基板７２の表面の上にある。ＬＥＤチップ５８は、反射体構造体８０のキャビティの中に存在し、反射体構造体８０は、反射性材料から形成され、ＬＥＤチップ５８から放出される光を、反射体構造体８０によって形成される開口部を通して反射するように機能する。反射体構造体８０によって形成されるキャビティは、ＬＥＤチップ５８をカプセル化するカプセル化材料６８で充填され得る。カプセル化材料６８は、透明であることが可能であり、または、蛍光体など波長変換材料を含有することが可能である。
【００８８】
[00107]図１１および図１２の実施形態のいずれかにおいて、カプセル化材料６８が透明である場合には、ＬＥＤチップ５８によって放出される光は、任意の実質的な色のシフトが全くない状態で、カプセル化材料６８および保護樹脂７０を通過する。したがって、ＬＥＤチップ５８から放出される光は、事実上、ＬＥＤ５６から放出される光である。カプセル化材料６８が波長変換材料を含有する場合には、第１の波長範囲の中の、ＬＥＤチップ５８によって放出される光の実質的にすべてまたは一部分が、波長変換材料によって吸収され得、波長変換材料は、それに応答して、第２の波長範囲の中の光を放出することになる。波長変換材料の濃度およびタイプは、ＬＥＤチップ５８によって放出される光のどれだけが波長変換材料によって吸収されるかということ、および、波長変換の程度を決定付けることになる。ＬＥＤチップ５８によって放出される光のいくらかが吸収されることなく波長変換材料を通過する実施形態では、波長変換材料を通過する光は、波長変換材料によって放出される光と混合することになる。したがって、波長変換材料が使用されるとき、ＬＥＤ５６から放出される光は、ＬＥＤチップ５８から放出される実際の光から色がシフトされる。
【００８９】
[00108]たとえば、ＬＥＤアレイ２０は、ＢＳＹまたはＢＳＧ  ＬＥＤ５６のグループ、および、赤色ＬＥＤ５６のグループを含むことが可能である。ＢＳＹ  ＬＥＤ５６は、青味がかった光を放出するＬＥＤチップ５８を含み、波長変換材料は、青色光を吸収し、黄味がかった光を放出する黄色蛍光体である。青味がかった光のいくらかが蛍光体を通過する場合でも、ＢＳＹ  ＬＥＤ５６の全体から放出される光の結果として得られる混合は、黄味がかった光である。ＢＳＹ  ＬＥＤ５６から放出される黄味がかった光は、１９７６ＣＩＥ色度図の上の黒体軌跡（ＢＢＬ）の上に乗る色点を有しており、ＢＢＬは、白色光のさまざまな色温度に対応する。
【００９０】
[00109]同様に、ＢＳＧ  ＬＥＤ５６は、青味がかった光を放出するＬＥＤチップ５８を含む。しかし、波長変換材料は、緑味がかった蛍光体であり、緑味がかった蛍光体は、青色光を吸収し、緑味がかった光を放出する。青味がかった光のいくらかが蛍光体を通過する場合でも、ＢＳＧ  ＬＥＤ５６の全体から放出される光の結果として得られる混合は、緑味がかった光である。ＢＳＧ  ＬＥＤ５６から放出される緑味がかった光は、１９７６ＣＩＥ色度図の上のＢＢＬの上に乗る色点を有し、ＢＢＬは、白色光のさまざまな色温度に対応する。
【００９１】
[00110]赤色ＬＥＤ５６は、一般的に、ＢＳＹまたはＢＳＧ  ＬＥＤ５６の黄味がかった光または緑味がかった光とはＢＢＬの反対側の色点において、赤味がかった光を放出する。したがって、赤色ＬＥＤ５６からの赤味がかった光は、ＢＳＹまたはＢＳＧ  ＬＥＤ５６から放出される黄味がかった光または緑味がかった光と混合し、所望の色温度を有してＢＢＬの所望の近傍内に入る白色光を発生させることが可能である。実際には、赤色ＬＥＤ５６からの赤味がかった光は、ＢＳＹまたはＢＳＧ  ＬＥＤ５６からの黄味がかった光または緑味がかった光を、ＢＢＬの上または近くの所望の色点に引き寄せる。留意すべきことには、赤色ＬＥＤ５６は、生来的に赤味がかった光を放出するＬＥＤチップ５８を有することが可能であり、波長変換材料は用いられない。代替として、ＬＥＤチップ５８は、波長変換材料に関連付けられ得、波長変換材料から放出される結果として得られる光、および、波長変換材料によって吸収されることなくＬＥＤチップ５８から放出される任意の光は、所望の赤味がかった光を形成するように混合される。
【００９２】
[00111]ＢＳＹまたはＢＳＧ  ＬＥＤ５６のいずれかを形成するために使用される青色ＬＥＤチップ５８は、窒化ガリウム（ＧａＮ）、窒化インジウムガリウム（ＩｎＧａＮ）、炭化ケイ素（ＳｉＣ）、セレン化亜鉛（ＺｎＳｅ）、または同様の材料系から形成され得る。赤色ＬＥＤチップ５８は、窒化アルミニウムインジウムガリウム（ＡｌＩｎＧａＰ）、リン化ガリウム（ＧａＰ）、ヒ化アルミニウムガリウム（ＡｌＧａＡｓ）、または同様の材料系から形成され得る。例示的な黄色蛍光体は、セリウムがドープされたイットリウムアルミニウムガーネット（ＹＡＧ：Ｃｅ）、および黄色ＢＯＳＥ（Ｂａ、Ｏ、Ｓｒ、Ｓｉ、Ｅｕ）蛍光体などを含む。例示的な緑色蛍光体は、緑色ＢＯＳＥ蛍光体、ルテチウムアルミニウムガーネット（ＬｕＡｇ）、セリウムがドープされたＬｕＡｇ（ＬｕＡｇ：Ｃｅ）、および２０１Ｗａｓｈｉｎｇｔｏｎ  Ｒｏａｄ、Ｐｒｉｎｃｅｔｏｎ、ＮＪ  ０８５４０のＬｉｇｈｔｓｃａｐｅ  Ｍａｔｅｒｉａｌｓ，Ｉｎｃ．からのＭａｕｉ  Ｍ５３５などを含む。上記のＬＥＤアーキテクチャー、蛍光体、および材料系は、単に例示的なものであり、本明細書で開示される概念に適用可能であるアーキテクチャー、蛍光体、および材料系の包括的なリストを提供することは意図されない。
【００９３】
[00112]国際照明委員会（Ｃｏｍｍｉｓｓｉｏｎ  Ｉｎｔｅｒｎａｔｉｏｎａｌｅ  ｄｅ  ｌ’ｅｃｌａｉｒａｇｅ、またはＣＩＥ）は、長年にわたり、さまざまな色度図を定義してきた。色度図は、明るさまたは輝度を参照することなくすべての人間が知覚可能な色を表す色空間を投影するために使用される。図１３は、ＣＩＥ１９７６色度図を図示し、それは、完全放射体軌跡または黒体軌跡（ＢＢＬ）の一部分を含む。ＢＢＬは、黒体の温度が変化するにつれて、白熱する黒体の色が進行することになる、色空間の中の経路である。白熱する黒体の色は、オレンジがかった赤色から青色の範囲にあり得るが、経路の中間部分は、従来から「白色光」として考えられるものを包含する。
【００９４】
[00113]相関色温度（ＣＣＴ）または色温度が、白色光を特徴付けるために使用される。ＣＣＴは、ケルビン（Ｋ）で測定され、北米照明学会（ＩＥＳＮＡ）によって、「その色度が光源の色度と最もよく類似する黒体の絶対温度」として定義される。光出力は、
−  ３２００Ｋより下方では、黄味がかった白色であり、一般的に、ウォーム（白色）光であると考えられ、
−  ３２００Ｋから４０００Ｋの間では、一般的に、ニュートラル（白色）光であると考えられ、
−  ４０００Ｋより上方では、青味がかった白色であり、一般的に、クール（白色）光であると考えられる。
【００９５】
[00114]座標（ｕ’、ｖ’）が、ＣＩＥ１９７６色度図の色空間の中の色点を定義するために使用される。ｖ’値は、垂直方向の位置を定義し、ｕ’値は、水平方向の位置を定義する。例として、第１のＢＳＹ  ＬＥＤ５６に関する色点は、約（０．１９００、０．５２５０）であり、第２のＢＳＹ  ＬＥＤ５６は、約（０．１７００、０．４６００）であり、赤色ＬＥＤ５６は、約（０．４９００、０．５６００）である。留意すべきことには、第１および第２のＢＳＹ  ＬＥＤ５６は、ｖ’軸線に沿って互いからかなり間隔を離して配置される。したがって、第１のＢＳＹ  ＬＥＤ５６は、色度図の中で、第２のＢＳＹ  ＬＥＤ５６よりもはるかに高い。参照しやすくするために、高い方の第１のＢＳＹ  ＬＥＤ５６は、高ＢＳＹ−Ｈ  ＬＥＤとして参照され、低い方の第２のＢＳＹ  ＬＥＤ５６は、低ＢＳＹ−Ｌ  ＬＥＤとして参照される。
【００９６】
[00115]したがって、高ＢＳＹ−Ｈ  ＬＥＤおよび低ＢＳＹ−Ｌ  ＬＥＤに関するΔν’は、図示される例において、約０．０６５である。異なる実施形態では、Δν’は、それぞれ、０．０２５、０．０３０、０．０３３、０．０４０  ０．０５０、０．０６０、０．０７５、０．１００、０．１１０、および０．１２０よりも大きいことが可能である。Δν’に関する絶対的ではないが例示的な上側の境界は、上述の下側の境界のいずれかに関して、０．１５０、０．１７５、または０．２００であることが可能である。特定の色のＬＥＤのグループに関して、ＬＥＤの２つのグループの間のΔν’は、ＬＥＤのそれぞれのグループに関する平均ｖ’値間の差である。したがって、特定の色のＬＥＤのグループ間のΔν’は、また、上記に説明されるものと同じ上側の境界によって、それぞれ、０．０３０、０．０３３、０．０４０、０．０５０、０．０６０、０．０７５、０．１００、０．１１０、および０．１２０よりも大きいことが可能である。さらに、特定の実施形態では、ＬＥＤの特定のグループの中のＬＥＤ５６の間での色点のバリエーションは、７ステップの、５ステップの、４ステップの、３ステップの、または２ステップのマクアダム楕円の中に制限され得る。一般的に、デルタｖ’が大きくなればなるほど、白色光のＣＣＴが黒体軌跡に沿って調節され得る範囲が大きくなる。白色光が黒体軌跡に近づけば近づくほど、白色光は、白熱放射体のものをより厳密に複製することになる。
【００９７】
[00116]１つの実施形態では、ＬＥＤアレイ２０は、低ＢＳＹ−Ｌ  ＬＥＤだけの第１のＬＥＤグループ、高ＢＳＹ−Ｈ  ＬＥＤだけの第２のＬＥＤグループ、および、赤色ＬＥＤだけの第３のＬＥＤグループを含む。第１、第２、および第３のＬＥＤグループを駆動するために使用される電流は、独立して制御され得、第１、第２、および第３のＬＥＤグループからの光出力の強度が独立して制御されるようになる。したがって、第１、第２、および第３のＬＥＤグループに関する光出力は、それぞれの低ＢＳＹ−Ｌ  ＬＥＤ、高ＢＳＹ−Ｈ  ＬＥＤ、および赤色ＬＥＤの色点によって形成される三角形の中の事実上どこかにある全体的な色点を有する光出力を生成させるために、ブレンドまたは混合され得る。この三角形の中に、ＢＢＬのかなりの部分が存在し、したがって、光出力の全体的な色点は、三角形の中に存在するＢＢＬの部分に沿って入るように動的に調節され得る。
【００９８】
[00117]クロスハッチパターンは、三角形の中に入るＢＢＬの部分を強調する。ＢＢＬに沿って光出力の全体的な色点を調節することは、光出力のＣＣＴを調節することに対応し、それは、上記に述べられるように、ＢＢＬの上に乗るときの白色光であると考えられる。１つの実施形態では、全体的な光出力のＣＣＴは、約２７００Ｋから約５７００Ｋの範囲にわたって調節され得る。別の実施形態では、全体的な光出力のＣＣＴは、約３０００Ｋから５０００Ｋの範囲にわたって調節され得る。さらなる別の実施形態では、全体的な光出力のＣＣＴは、約２７００Ｋから５０００Ｋの範囲にわたって調節され得る。さらなる別の実施形態では、全体的な光出力のＣＣＴは、約３０００Ｋから４０００Ｋの範囲にわたって調節され得る。ＣＣＴにおけるこれらの変化は、高い演色評価数値（ＣＲＩ）、たとえば、９０以上のＣＲＩなどを維持しながら達成され得る。
【００９９】
[00118]「白色」光をよく考えると、全体的な色点は、ＢＢＬの上に正確に乗る必要はない。別段の定めがなければ、および、本出願だけの目的のために、ＢＢＬの５ステップのマクアダム楕円の中の色点は、ＢＢＬの上の白色光として定義される。より厳しい公差のために、４ステップの、３ステップの、および２ステップのマクアダム楕円が定義され得る。
【０１００】
[00119]述べられるように、ＬＥＤアレイ２０は、赤色ＬＥＤ５６、高ＢＳＹ−Ｈ  ＬＥＤ５６、および、低ＢＳＹ−Ｌ  ＬＥＤ５６の混合物を含むことが可能である。ＬＥＤアレイ２０を駆動するためのドライバモジュール３０が、開示の１つの実施形態にしたがって、図１４に図示される。ＬＥＤアレイ２０は、直列に接続されたＬＥＤ５６の複数のストリングに分割され得る。本質的には、複数の赤色ＬＥＤ（ＲＥＤ）を含むＬＥＤストリングＳ１は、ＬＥＤ５６の第１のグループを形成する。複数の低ＢＳＹ  ＬＥＤ（ＢＳＹ−Ｌ）を含むＬＥＤストリングＳ２は、ＬＥＤ５６の第２のグループを形成する。そして、複数の高ＢＳＹ  ＬＥＤ（ＢＳＹ−Ｈ）を含むＬＥＤストリングＳ３は、ＬＥＤ５６の第３のグループを形成する。
【０１０１】
[00120]明確化のために、ＬＥＤアレイ２０のさまざまなＬＥＤ５６は、図１４において、ＲＥＤ、ＢＳＹ−Ｌ、およびＢＳＹ−Ｈとして参照され、どのＬＥＤがさまざまなＬＥＤストリングＳ１、Ｓ２、およびＳ３の中に位置付けされるかを明確に示す。ＢＳＹ  ＬＥＤ５６が図示されるが、ＢＳＧまたは他の蛍光体コーティングされた波長変換型のＬＥＤが、同様にして用いられ得る。たとえば、高ＢＳＧ−Ｈ  ＬＥＤ５６のストリングは、低ＢＳＧ−Ｌ  ＬＥＤ５６のストリングと組み合わせられ得、また、その逆も同様である。さらに、低ＢＳＹ−Ｈ  ＬＥＤのストリングは、高ＢＳＧ−Ｈ  ＬＥＤのストリングと組み合わせられ得、また、その逆も同様である。また、特定の実施形態では、蛍光体コーティングされていないＬＥＤ、たとえば、非波長変換型の赤色ＬＥＤ、緑色ＬＥＤ、および青色ＬＥＤなども用いられ得る。
【０１０２】
[00121]一般的に、ドライバモジュール３０は、電流ｉ１、ｉ２、およびｉ３を制御し、電流ｉ１、ｉ２、およびｉ３は、それぞれのＬＥＤストリングＳ１、Ｓ２、およびＳ３を駆動する。それぞれのＬＥＤストリングＳ１、Ｓ２、およびＳ３を通して提供される電流ｉ１、ｉ２、およびｉ３の比率は、ＬＥＤストリングＳ１の赤色ＬＥＤ５６から放出される赤味がかった光、ＬＥＤストリングＳ２の低ＢＳＹ−Ｌ  ＬＥＤ５６から放出される黄味がかった／緑味がかった光、および、ＬＥＤストリングＳ３の高ＢＳＹ−Ｈ  ＬＥＤ５６から放出される黄色の／緑味がかった光の相対的な強度を効果的に制御するように調節され得る。それぞれのＬＥＤストリングＳ１、Ｓ２、およびＳ３からの結果として得られる光は、所望の色、ＣＣＴ、および強度を有する全体的な光出力を発生させるように混合され、強度は、調光レベルと称されることもある。述べられるように、全体的な光出力は、白色光であることが可能であり、それは、ＢＢＬの上に乗るか、または、ＢＢＬの所望の近傍の中に入り、また、所望のＣＣＴを有する。
【０１０３】
[00122]ＬＥＤストリングＳｘの数は、１から多数まで変化することが可能であり、ＬＥＤの色の異なる組み合わせが、異なるストリングの中で使用され得る。それぞれのＬＥＤストリングＳｘは、同じ色のＬＥＤ５６、同じ色の変化形のＬＥＤ５６、または実質的に異なる色のＬＥＤ５６を有することが可能である。図示される実施形態では、それぞれのＬＥＤストリングＳ１、Ｓ２、およびＳ３は、ストリングの中にあるＬＥＤ５６のすべての色がすべて本質的に同一となるように構成される。しかし、それぞれのストリングの中のＬＥＤ５６は、色が実質的に変化することが可能であり、または、特定の実施形態では、完全に異なる色になることが可能である。別の実施形態では、赤色ＬＥＤ、緑色ＬＥＤ、および青色ＬＥＤを備える３つのＬＥＤストリングＳｘが使用され得、それぞれのＬＥＤストリングＳｘは、単一の色の専用である。さらなる別の実施形態では、少なくとも２つのＬＥＤストリングＳｘが使用され得、異なる色付きのＢＳＹまたはＢＳＧ  ＬＥＤが、ＬＥＤストリングＳｘのうちの一方の中で使用され、赤色ＬＥＤが、ＬＥＤストリングＳｘの他方の中で使用される。また、単一のストリング実施形態も想定され、バイパス回路などを使用して異なる色のＬＥＤに関して、電流が個別に調節され得る。
【０１０４】
[00123]図１４に示されるドライバモジュール３０は、一般的に、ＡＣ−ＤＣ変換回路８２と、制御回路８４と、図示されるＤＣ−ＤＣコンバータ８６など複数の電流供給源とを含む。ＡＣ−ＤＣ変換回路８２は、ＡＣ電力信号（ＡＣ  ＩＮ）を受け取り、ＡＣ電力信号を整流し、ＡＣ電力信号の力率を補正し、ＤＣ出力信号を提供するように適合される。ＤＣ出力信号は、ドライバモジュール３０の中に設けられる制御回路８４および任意の他の回路に直接的に電力供給するために使用され得、それは、ＤＣ−ＤＣコンバータ８６、通信インターフェース８８、およびセンサモジュール３８を含む。
【０１０５】
[00124]また、ＤＣ出力信号は、電力バスに提供され得、電力バスは、１つまたは複数の電力ポートに連結され、１つまたは複数の電力ポートは、標準的な通信インターフェースの一部であることが可能である。電力バスに提供されるＤＣ出力信号は、１つまたは複数の外部デバイスに電力を提供するために使用され得、１つまたは複数の外部デバイスは、電力バスに連結され、ドライバモジュール３０から分離する。これらの外部デバイスは、通信モジュール３２と、センサモジュール３８など任意の数の補助デバイスを含むことが可能である。したがって、これらの外部デバイスは、電力に関してドライバモジュール３０に依存することが可能であり、したがって、効率的にかつコスト効率良く設計され得る。ドライバモジュール３０のＡＣ−ＤＣ変換回路８２は、その内部回路およびＬＥＤアレイ２０に電力を供給するだけでなく、これらの外部デバイスにも電力を供給することを要求されることを予想して、ロバスト設計される。そのような設計は、電力供給部に対する必要性を排除しない場合には、電力供給部設計を大幅に簡単化し、これらの外部デバイスに関するコストを低減させる。
【０１０６】
[00125]図示されるように、ドライバモジュール３０の３つのそれぞれのＤＣ−ＤＣコンバータ８６は、制御信号ＣＳ１、ＣＳ２、およびＣＳ３に応答して、３つのＬＥＤストリングＳ１、Ｓ２、およびＳ３に関する電流ｉ１、ｉ２、およびｉ３を提供する。制御信号ＣＳ１、ＣＳ２、およびＣＳ３は、パルス幅変調式（ＰＷＭ）信号であることが可能であり、効果的に、ＰＷＭ信号のそれぞれの期間の論理ハイ状態の間に、それぞれのＤＣ−ＤＣコンバータをターンオンし、論理ロー状態の間にターンオフする。１つの実施形態では、制御信号ＣＳ１、ＣＳ２、およびＣＳ３は、２つのＰＷＭ信号の積である。
【０１０７】
[00126]第１のＰＷＭ信号は、高い方の周波数ＰＷＭ信号であり、それは、電流がＬＥＤストリングＳ１、Ｓ２、およびＳ３を通過することを許容されるときに、ＬＥＤストリングＳ１、Ｓ２、およびＳ３のうちの対応する１つを通るＤＣ電流レベルを効果的に設定するデューティサイクルを有する。第２のＰＷＭ信号は、低い方の周波数信号であり、それは、所望の調光レベルまたは全体的な出力レベルに対応するデューティサイクルを有する。本質的には、高い方の周波数ＰＷＭ信号は、それぞれのＬＥＤストリングＳ１、Ｓ２、およびＳ３を通る相対的な電流レベルを設定し、一方、低い方の周波数ＰＷＭ信号は、電流ｉ１、ｉ２、およびｉ３が、低い方の周波数ＰＷＭ信号のそれぞれの期間の間に、どれくらい長くＬＥＤストリングＳ１、Ｓ２、およびＳ３を通過することを許容されるかを決定する。それぞれの期間の間に、電流ｉ１、ｉ２、およびｉ３がＬＥＤストリングＳ１、Ｓ２、およびＳ３を通って流れることを許容されるのが、長ければ長いほど、出力レベルは高く、また、その逆も同様である。ＤＣ−ＤＣコンバータ８６に関連付けられる無効分を所与として、高い方の周波数ＰＷＭ信号によって設定される相対的な電流レベルは、相対的なＤＣ電流へフィルターを通され得る。しかし、このＤＣ電流は、低い方の周波数ＰＷＭ信号のデューティサイクルに基づいて、本質的にオンおよびオフにパルス駆動される。たとえば、高い方の周波数ＰＷＭ信号は、おおよそ２００ＫＨｚのスイッチング周波数を有することが可能であり、一方、低い方の周波数ＰＷＭ信号は、おおよそ１ＫＨｚのスイッチング周波数を有することが可能である。
【０１０８】
[00127]特定の事例では、調光デバイスは、ＡＣ電力信号を制御することが可能である。ＡＣ−ＤＣ変換回路８２は、ＡＣ電力信号関連付けられる相対的な調光量を検出し、対応する調光信号を制御回路８４に提供するように構成され得る。調光信号に基づいて、制御回路８４は、ＬＥＤストリングＳ１、Ｓ２、およびＳ３のそれぞれから提供される電流ｉ１、ｉ２、およびｉ３を調節し、所望のＣＣＴを維持しながら、ＬＥＤストリングＳ１、Ｓ２、およびＳ３から放出される、結果として得られる光の強度を効果的に低減させることになる。さらに下記に説明されるように、ＣＣＴおよび調光レベルは、内部で開始され得、または、コミッショニングツール３６、壁面取り付け式コントローラ、または、別の照明器具１０から受け取られ得る。通信モジュール３２を介して外部デバイスから受け取られる場合には、ＣＣＴおよび／または調光レベルは、通信モジュール３２からドライバモジュール３０の制御回路８４へ、通信バスを介したコマンドの形態で送達される。ドライバモジュール３０は、電流ｉ１、ｉ２、およびｉ３を所望の様式で制御することによって応答し、要求されたＣＣＴおよび／または調光レベルを実現することになる。
【０１０９】
[00128]ＬＥＤ５６から放出される光の強度およびＣＣＴは、温度によって影響を与えられ得る。サーミスタＳＴまたは他の温度センシングデバイスに関連付けられる場合には、制御回路８４は、温度効果を補償しようとして、ＬＥＤアレイ２０の室温に基づいて、ＬＥＤストリングＳ１、Ｓ２、およびＳ３のそれぞれに提供される電流ｉ１、ｉ２、およびｉ３を制御することが可能である。また、制御回路８４は、占有情報および環境光情報のために、占有センサＳＯおよび環境光センサＳＡの出力をモニタリングすることが可能であり、所望のように電流ｉ１、ｉ２、およびｉ３をさらに制御することが可能である。ＬＥＤストリングＳ１、Ｓ２、およびＳ３のそれぞれは、異なる温度補償調節を有することが可能であり、それは、また、さまざまな電流ｉ１、ｉ２、およびｉ３の大きさの関数であることが可能である。
【０１１０】
[00129]制御回路８４は、中央処理装置（ＣＰＵ）および十分なメモリ９０を含むことが可能であり、制御回路８４が、上記に説明される標準的なプロトコルなど、所定のプロトコルを使用して、適当な通信インターフェース（Ｉ／Ｆ）８８を通る通信バスを通じて、通信モジュール３２または他のデバイスと双方向に通信することを可能にする。制御回路８４は、通信モジュール３２または他のデバイスから命令を受け取り、受け取られた命令を実装するために適当なアクションをとることが可能である。命令は、ＬＥＤアレイ２０のＬＥＤ５６がどのように駆動されるかを制御することから、制御回路８４によって通信バスを介して通信モジュール３２または他のデバイスに収集された、温度情報、占有情報、光出力情報、または環境光情報など、動作データを戻すことまでの範囲にあることが可能である。留意すべきことには、通信モジュール３２の機能性は、ドライバモジュール３０の中に統合され得、また、その逆も同様である。
【０１１１】
[00130]図１５を参照すると、それぞれのＬＥＤストリングＳ１、Ｓ２、およびＳ３に提供される電流ｉ１、ｉ２、およびｉ３を制御する例示的な方式が図示され、全体的な光出力のＣＣＴが、比較的長い範囲にわたって、および、事実上任意の調光レベルの全体を通して、微調整され得るようになる。上記に述べられるように、制御回路８４は、制御信号ＣＳ１、ＣＳ２、およびＣＳ３を発生させ、制御信号ＣＳ１、ＣＳ２、およびＣＳ３は、電流ｉ１、ｉ２、およびｉ３を制御する。当業者は、電流ｉ１、ｉ２、およびｉ３を制御するための他の方式を理解するであろう。
【０１１２】
[00131]本質的には、ドライバモジュール３０の制御回路８４は、電流ｉ１、ｉ２、およびｉ３のそれぞれに関する１つまたは複数の関数（等式）またはルックアップテーブルの形態の電流モデルを搭載される。それぞれの電流モデルは、参照モデルであり、参照モデルは、調光レベルまたは出力レベル、温度、およびＣＣＴの関数である。それぞれのモデルの出力は、対応する制御信号ＣＳ１、ＣＳ２、およびＣＳ３を提供し、それは、ＬＥＤストリングＳ１、Ｓ２、およびＳ３の中の電流ｉ１、ｉ２、およびｉ３を効果的に設定する。３つの電流モデルは、互いに関連する。任意の所与の出力レベル、温度、およびＣＣＴにおいて、結果として生じる電流ｉ１、ｉ２、およびｉ３は、ＬＥＤストリングＳ１、Ｓ２、およびＳ３に光を放出させ、それは、組み合わせられるときに、温度にかかわらず、所望の出力レベルおよびＣＣＴを有する全体的な光出力を提供する。３つの電流モデルは、互いの関数である必要はないが、それらは、互いに協調するように生成され、ストリングＳ１、Ｓ２、およびＳ３のそれぞれからの光が所望のように互いに混合することを確実にする。
【０１１３】
[00132]図１６を参照すると、制御信号ＣＳ１、ＣＳ２、およびＣＳ３を発生させるための例示的なプロセスが提供される。最初に、電流モデルが制御回路８４のメモリ９０の中に搭載されることを仮定する。さらに、電流モデルが照明器具１０の特定のタイプに関する参照モデルであることを仮定する。
【０１１４】
[00133]さらに、所望のＣＣＴが、色変化関数９２に対する入力であり、それは、参照モデルに基づくことを仮定する。色変化関数９２は、所望のＣＣＴに基づいて、電流ｉ１、ｉ２、およびｉ３のそれぞれに関する参照制御信号Ｒ１、Ｒ２、およびＲ３を選択する。次に、参照制御信号Ｒ１、Ｒ２、およびＲ３は、必要な場合には、チューニングオフセットのセットに基づいて、電流チューニング関数９４によってそれぞれ調節される。チューニングオフセットは、製造またはテストの間に、キャリブレーションプロセスを通して決定され、制御回路８４の中へアップロードされ得る。チューニングオフセットは、電流ｉ１、ｉ２、およびｉ３に対するキャリブレーション調節に相関し、それは、全体的な光出力のＣＣＴを参照ＣＣＴにマッチさせるように適用されるべきである。チューニングオフセットについての詳細が、下記にさらに議論される。本質的には、電流チューニング関数９４は、チューニングオフセットに基づいて、参照制御信号Ｒ１、Ｒ２、およびＲ３を修正し、チューニングされた制御信号Ｔ１、Ｔ２、およびＴ３を提供する。
【０１１５】
[00134]同様にして、温度補償関数９６は、電流温度測定に基づいて、チューニングされた制御信号Ｔ１、Ｔ２、およびＴ３を修正し、温度補償された制御信号ＴＣ１、ＴＣ２、およびＴＣ３を提供する。さまざまなＬＥＤ５６からの光出力は、温度に対して強度および色が変化し得るので、温度補償関数９６は、電流ｉ１、ｉ２、およびｉ３を効果的に調節し、これらの変化の影響に実質的に対抗する。温度センサＳＴは、温度入力を提供することが可能であり、一般的に、ＬＥＤアレイ２０の近くに位置付けされる。
【０１１６】
[00135]最後に、調光関数９８は、所望の調光（出力）レベルに基づいて、温度補償された制御信号ＴＣ１、ＴＣ２、およびＴＣ３を修正し、制御信号ＣＳ１、ＣＳ２、およびＣＳ３を提供し、制御信号ＣＳ１、ＣＳ２、およびＣＳ３は、ＤＣ−ＤＣコンバータ８６を駆動し、適当な電流ｉ１、ｉ２、およびｉ３をＬＥＤストリングＳ１、Ｓ２、およびＳ３に提供する。また、さまざまなＬＥＤ５６からの光出力は、変化する電流レベルに対して、相対的な強度および色が変化し得、調光関数９８は、全体的な光出力のＣＣＴが、選択された調光（出力）レベルにおいて、所望のＣＣＴおよび強度に対応することを確実にすることを助ける。
【０１１７】
[00136]壁面取り付け式コントローラ、コミッショニングツール３６、または他の照明器具１０は、ＣＣＴ設定および調光レベルを提供することが可能である。さらに、制御回路８４は、所定のスケジュール、占有センサＳＯおよび環境光センサＳＡの状態、他の外側の制御入力、時刻、曜日、日付、または、それらの任意の組み合わせにしたがって、ＣＣＴおよび調光レベルを設定するようにプログラムされ得る。たとえば、これらのレベルは、所望の効率または相関色温度に基づいて制御され得る。
【０１１８】
[00137]これらのレベルは、環境光の強度（レベル）および／またはスペクトル成分に基づいて制御され得、それは、環境光センサＳＡによって測定される。スペクトル成分に基づいて制御されるときに、調光レベルまたはＣＣＴレベルは、環境光の全体的な強度に基づいて調節され得る。代替として、調光レベル、色点、またはＣＣＴレベルは、環境光のスペクトル成分にマッチするように調節され得、または、欠けているかもしくは弱まっている環境光のスペクトルエリアにおいて充填することを助けるように調節され得る。たとえば、環境光がスペクトルのよりクールなエリアにおいて不足している場合には、光出力が調節され得、そのスペクトルのよりクールなエリアにより多くの光を提供し、環境光、および、照明器具１０によって提供される光が、所望のスペクトルを提供するように組み合わさるようになる。また、ＣＣＴレベル、調光レベル、または色レベルは、電力条件（電源異常、バッテリバックアップ動作など）または緊急条件（火災アラーム、セキュリティアラーム、気象警報など）に基づいて制御され得る。
【０１１９】
[00138]述べられるように、チューニングオフセットは、一般的に、製造の間に決定されるが、現場で決定され、照明器具１０の中に搭載され得る。チューニングオフセットは、メモリ９０の中に記憶され、電流ｉ１、ｉ２、およびｉ３に対するキャリブレーション調節に相関し、それは、全体的な光出力のＣＣＴを参照ＣＣＴにマッチさせるように適用されるべきである。図１７を参照すると、約３０００Ｋから５０００ＫのＣＣＴ範囲に対して、参照（チューニングされる前の）電流、および、チューニングされた（チューニングされた後の）電流ｉ１、ｉ２、およびｉ３に関する例示的な電流曲線が提供される。参照電流は、所望のＣＣＴに関する参照制御信号Ｒ１、Ｒ２、およびＲ３に応答して、所望のＣＣＴを提供するように予期される電流ｉ１、ｉ２、およびｉ３を表す。しかし、参照電流ｉ１、ｉ２、およびｉ３に応答して提供される実際のＣＣＴは、ドライバモジュール３０およびＬＥＤアレイ２０の中の電子機器の中の変化に基づいて、所望のＣＣＴにマッチしない可能性がある。したがって、参照電流ｉ１、ｉ２、およびｉ３は、実際のＣＣＴが所望のＣＣＴに対応することを確実にするために、キャリブレートまたは調節されることを必要としないことが可能である。チューニングオフセットは、モデルに関する曲線とチューニングされた電流ｉ１、ｉ２、およびｉ３に関する曲線との間の差を表す。
【０１２０】
[00139]シングルポイントキャリブレーションに関して、チューニングオフセットは、一定の乗数であることが可能であり、それは、対応する参照電流ｉ１、ｉ２、およびｉ３に関する所望のＣＣＴ範囲に対して適用され得る。一定の乗数を適用することは、参照電流ｉ１、ｉ２、およびｉ３と対応するパーセンテージを乗算することを表す。図１３では、参照電流ｉ１、ｉ２、およびｉ３に関するチューニングオフセットは、それぞれ、０．９６（９６％）、１．０４（１０４％）、および１．０６（１０６％）であることが可能である。したがって、参照電流ｉ２およびｉ３が増加するにつれて、チューニングされた電流ｉ２およびｉ３は、より大きいレートで増加することになる。参照電流ｉ１が増加するにつれて、チューニングされた電流ｉ１は、より小さいレートで増加することになる。
【０１２１】
[00140]たとえば、単一のキャリブレーションは、２５Ｃおよび４０００ＫのＣＣＴにおいて行うことが可能であり、チューニングオフセットは、電流ｉ１、ｉ２、およびｉ３のそれぞれに関して決定される。２５Ｃおよび４０００Ｋにおける電流ｉ１、ｉ２、およびｉ３に関する、結果として得られるチューニングオフセットは、それぞれのモデル電流曲線に適用され得る。その効果は、それぞれの電流曲線を一定のパーセンテージだけ上または下にシフトさせることである。したがって、４０００Ｋにおいて電流ｉ１、ｉ２、およびｉ３に関して必要とされる同じチューニングオフセットは、３０００Ｋから５０００Ｋの間で任意の選択されたＣＣＴにおいて適用される。チューニングオフセットは、参照制御信号Ｒ１、Ｒ２、およびＲ３とパーセンテージを乗算することによって実装され、それは、電流ｉ１、ｉ２、およびｉ３を増加または減少させる。上記に述べられるように、参照制御信号Ｒ１、Ｒ２、およびＲ３は、チューニングオフセットによって変更され、チューニングされた制御信号Ｔ１、Ｔ２、およびＴ３を提供する。チューニングされた制御信号Ｔ１、Ｔ２、およびＴ３は、温度および調光（出力）レベルを補償するために動的に調節され得る。
【０１２２】
[00141]一定のパーセンテージベースのチューニングオフセットは、キャリブレーションおよび製造効率のために使用され得るが、他のチューニングオフセットも導出および適用され得る。たとえば、チューニングオフセットは、一定の大きさのオフセットであることが可能であり、それは、ＣＣＴ値にかかわらず、すべての電流に等しく適用される。より複雑なシナリオでは、オフセット関数が、電流ｉ１、ｉ２、およびｉ３のそれぞれに関して導出され得、ＣＣＴ範囲に対して、制御信号ＣＳ１、ＣＳ２、およびＣＳ３に適用され得る。
【０１２３】
[00142]照明器具１０は、ユーザまたは他のデバイスが選択されたＣＣＴレベルを変化させることに応答して、１つのＣＣＴレベルから別のＣＣＴレベルへ即座に変化することを必要としない。照明器具１０は、フェードレートを用いることが可能であり、それは、１つのＣＣＴレベルから別のＣＣＴレベルへ移行するときのＣＣＴに関する変化のレートを決定付ける。フェードレートは、コミッショニングツール３６または壁面取り付け式コントローラなどによって、製造の間に設定され得る。たとえば、フェードレートは、毎秒５００Ｋであることが可能である。５％調光レベルおよび７４％調光レベルに関するＣＣＴレベルは、それぞれ、３０００Ｋおよび５０００Ｋであると仮定する。ユーザまたはいくつかのイベントが、調光レベルを５％から７４％へ変化させた場合には、ＣＣＴレベルは、毎秒５００Ｋのレートで３０００Ｋから５０００Ｋへ移行することが可能である。この例において、移行は、２秒かかることになる。調光レートは、ＣＣＴフェードレートと一致していてもよく、または、一致していなくてもよい。フェードレートによって、選択されたＣＣＴレベルの変化は、段階的に移行され、１つのＣＣＴレベルから別のＣＣＴレベルへの突然の切り替えを回避することが可能である。
【０１２４】
[00143]図１８を参照すると、図１の壁面取り付け式コントローラＷＣＡおよびＷＣＢなど、例示的な壁面取り付け式コントローラ１００が図示される。壁面取り付け式コントローラ１００は、この実施形態では、３つのボタン、すなわち、オン−オフボタン１０４、調光ボタン１０６、およびＣＣＴボタン１０８とともに示される。下記にさらに説明されるように、壁面取り付け式コントローラ１００は、１つまたは複数の照明器具１０に配線で接続され得、または、直接的にまたは間接的に、１つまたは複数の照明器具１０と無線で通信するように構成され得る。有線通信または無線通信は、信号、メッセージ、または命令の照明器具１０への送達をサポートすることになり、それらは以降では信号と称される。壁面取り付け式コントローラ１００は、ユーザ入力が受け取られるとすぐに、さまざまなユーザ入力を関連の照明器具１０に単に中継するように構成され得る。このケースでは、照明器具１０は、ユーザ入力を処理し、とるべき適当な応答を決定することになる。壁面取り付け式コントローラ１００は主としてリレーとして作用するときに、プライマリインテリジェンスまたは意思決定能力が、照明器具１０の中に存在する。代替として、重要な処理および意思決定能力は、壁面取り付け式コントローラ１００の中に提供され得、壁面取り付け式コントローラ１００は、さまざまなユーザ入力を処理し、プログラムルール、ローカルセンサまたはリモートセンサからのセンサ情報、および、以前のユーザ入力など、さまざまな基準に基づいて、照明器具１０にどのように指示するかを決定することが可能である。
【０１２５】
[00144]下記に説明されるさまざまな例を議論するときに、これらの構成のいずれか、または、それらの組み合わせが用いられ得る。リレー実施形態に関して、ユーザ入力は、１つまたは複数の照明器具１０に中継され、１つまたは複数の照明器具１０は、ユーザ入力を処理し、必須の照明応答を提供することになる。壁面取り付け式コントローラ１００がユーザ知覚可能な応答を提供する必要があるときに、応答は、利用可能な情報に基づいて、壁面取り付け式コントローラ１００によって内部で開始され得、または、照明器具１０から受け取られる命令に応答して提供され得る。たとえば、壁面取り付け式コントローラ１００が、ユーザフィードバックを提供するために壁面取り付け式コントローラ１００の上に位置付けされるＬＥＤを制御する必要がある場合には、これは、内部で、または、照明器具１０からの信号に応答して、開始され得る。よりインテリジェントな壁面取り付け式コントローラ１００によって、壁面取り付け式コントローラ１００は、単に、特定の照明応答を提供するように、たとえば、３５００ＫのＣＣＴによって５０％まで調光するように、および、それにしたがってＬＥＤを制御するように、関連の照明器具１０に指示することが可能である。照明器具１０は、このケースでは、ＬＥＤ制御を知っている必要はない。
【０１２６】
[00145]無線通信を装備しているときに、壁面取り付け式コントローラ１００は、マルチノード無線メッシュネットワークの中のノードとして作用することが可能であり、特定のノードは、照明器具１０である。メッシュ−ネットワークベースの照明ネットワークに関するさらなる情報に関して、２０１３年３月１日に出願された米国特許出願第１３／７８２，０２２号、米国特許第８，９７５，８２７、２０１３年３月１日に出願された米国特許出願第１３／７８２，０５３号、２０１３年３月１日に出願された米国特許出願第１３／７８２，０６８号、米国特許第８，８２９，８２１号、２０１３年３月１日に出願された米国特許出願第１３／７８２，０９６号、米国特許第８，９１２，７３５号、２０１３年３月１５日に出願された米国特許出願第１３／８３８，３９８号、２０１３年４月２２日に出願された米国特許出願第１３／８６８，０２１号、および、２０１４年１月２７日に出願された米国仮特許出願第６１／９３２，０５８号が参照され、それらは、その全体が参照により本明細書に組み込まれる。
【０１２７】
[00146]図１８に図示される実施形態によって、３つのボタン（１０４、１０６、１０８）のそれぞれは、ロッカースイッチとして示され、ボタンの上半分を押すことは、第１の照明制御応答を引き起こし、ボタンの下半分を押すことは、第２の照明制御応答を引き起こす。オン−オフボタン１０４に関して、上半分を押すことにより、壁面取り付け式コントローラ１００が、任意の関連の照明器具１０をターンオンするための信号を送ることになる。オン−オフボタン１０４の下半分を押すことにより、壁面取り付け式コントローラが、関連の照明器具１０をターンオフするための信号を送ることになる。これらの信号のいずれかと同様に、信号は、関連の照明器具１０へのネットワークを通して直接的にまたは間接的に送られ得る。
【０１２８】
[00147]調光ボタン１０６は、関連の照明器具１０の光出力レベルまたは調光レベルを変化させるために使用される。調光ボタン１０６に関して、上半分を押すことにより、壁面取り付け式コントローラ１００が、関連の照明器具１０の出力光レベルを増加させるための信号を送ることになる。調光ボタン１０６の下半分を押すことにより、壁面取り付け式コントローラが、関連の照明器具１０の出力光レベルを減少させるための信号を送ることになる。調光ボタン１０６の上半分または下半分を押すたびに、関連の照明器具１０は、それらの出力光レベルを所定の量だけ増加または減少するように指示され得る。調光ボタン１０６の上半分または下半分が押し下げられて保持される場合には、関連の照明器具１０は、調光ボタン１０６が解放されるまで、それらの出力レベルを連続的に増加または減少するように指示され得る。
【０１２９】
[00148]ＣＣＴボタン１０８は、関連の照明器具１０の光出力のＣＣＴを変化させるために使用される。ＣＣＴボタン１０８に関して、上半分を押すことにより、壁面取り付け式コントローラ１００が、関連の照明器具１０のＣＣＴレベルを増加させるための信号を送ることになる。ＣＣＴボタン１０８の下半分を押すことにより、壁面取り付け式コントローラが、関連の照明器具１０のＣＣＴレベルを減少させるための信号を送ることになる。ＣＣＴボタン１０８の上半分または下半分を押すたびに、関連の照明器具１０は、それらのＣＣＴを所定の量だけ増加または減少するように指示され得る。たとえば、ＣＣＴボタン１０８の上半分または下半分を押すたびに、関連の照明器具１０の光出力のＣＣＴを１００Ｋだけ増加または減少させることが可能である。代替として、押すたびに、１Ｋ、５Ｋ、１０Ｋ、５０Ｋ、１００Ｋ、２５０Ｋ、または５００Ｋの光出力を変化させることが可能である。ＣＣＴボタン１０８の上半分または下半分が押し下げられて保持される場合には、関連の照明器具１０は、ＣＣＴボタン１０８が解放されるまで、それらのＣＣＴレベルを連続的に増加または減少するように指示され得る。変化のレートは、一定であることが可能であり、または、どれくらい長くＣＣＴボタン１０８が押し下げられて保持されるかに基づいて変化することが可能である。ＣＣＴボタン１０８が長く押圧されればされるほど、ＣＣＴの変化は速くなる。壁面取り付け式コントローラ構成に関する変形例に関して、２０１４年５月３０日に出願された米国特許出願第１４／２９２，３３２号を参照されたい。それは、その全体が参照により本明細書に組み込まれる。
【０１３０】
[00149]壁面取り付け式コントローラ１００の例示的なブロック図が、図１９に示される。壁面取り付け式コントローラ１００は、制御回路１１０を含み、制御回路１１０は、メモリ１１２に関連付けられ、本明細書で説明される機能性を実装するために必要な必須のソフトウェアまたはファームウェアを走らせるように構成される。制御回路は、ユーザ入力インターフェース（Ｉ／Ｆ）１１４およびユーザ出力インターフェース（Ｉ／Ｆ）１１６に関連付けられる。上記に述べられるように、ユーザ入力インターフェース１１４は、さまざまなスイッチ、回転式ノブ、スライダ、およびボタン、たとえば、オン−オフボタン１０４、調光ボタン１０６、およびＣＣＴボタン１０８などを含むことが可能である。ユーザ入力インターフェース１１４は、スイッチ、ノブ、スライダ、およびボタンのさまざまなグループの中に配置され得る。また、ユーザ入力インターフェースは、タッチスクリーンインターフェースであることが可能である。ユーザ出力インターフェース１１６は、ＬＥＤもしくはインジケーター、またはディスプレイなどを含むことが可能である。ディスプレイは、タッチスクリーンインターフェースの一部を形成することが可能である。
【０１３１】
[00150]また、制御回路１１０は、無線通信インターフェース１１８および有線通信インターフェース１２０のうちの一方または両方に関連付けられる。無線通信インターフェース１１８は、１つまたは複数の関連の照明器具１０、または、関連の照明器具１０を含む無線ネットワークなどとの直接的な無線通信を促進させるように構成される。Ｂｌｕｅｔｏｏｔｈ（登録商標）および無線ローカルエリアネットワーク（ＷＬＡＮ）などを含む、事実上任意のタイプの無線通信技法が使用され得る。赤外線通信技法、音響通信技法、および光学的な通信技法も可能である。
【０１３２】
[00151]１つの実施形態では、無線通信インターフェース１１８は、関連の照明器具１０の少なくとも１つの通信モジュール３２と通信することが可能である。それぞれの照明器具１０は、他の照明器具１０と壁面取り付け式コントローラ１００との間でメッセージを中継するように構成され得る。また、照明器具１０は、壁面取り付け式コントローラ１００からの信号を受け取ることが可能であり、次いで、その命令に基づいて他の照明器具１０を制御することが可能である。有線通信インターフェース１２０は、関連の照明器具１０の少なくとも１つに直接的に配線で接続され、有線接続を通じて制御信号を送るように設計される。
【０１３３】
[00152]動作時に、制御回路１１０は、ユーザ入力インターフェース１１４を介してユーザ入力を受け取ることが可能であり、または、照明器具１０およびコミッショニングツール３６から情報を受け取ることが可能である。この入力または情報に基づいて、制御回路１１０は、ユーザ出力インターフェース１１６を介してユーザフィードバックをユーザに提供し、無線通信インターフェース１１８もしくは有線通信インターフェース１２０、または、その両方を介して、適当な信号を介して、１つまたは複数の関連の照明器具１０に命令を送ることが可能である。たとえば、制御回路１１０は、上記に説明されるようなユーザ入力インターフェース１１４から、オン−オフコマンド、調光レベル、ＣＣＴ設定、および、最大または最小ＣＣＴレベルなどを受け取ることが可能であり、ユーザ出力インターフェース１１６および関連の照明器具１０を介して、出力をユーザに提供することが可能である。照明器具１０に提供される信号は、ターンオンするための、ターンオフするための、特定のＣＣＴレベルに設定または移行するための、および、特定の調光レベルに設定または移行するなどのための、ユーザ入力または命令を含むことが可能である。
【０１３４】
[00153]また、壁面取り付け式コントローラ１００は、占有センサ１２２および環境光センサ１２４など、さまざまなセンサを含むことが可能である。制御回路１１０は、単に、占有センサ１２２および環境光センサ１２４のセンサ出力を関連の照明器具１０に中継することが可能であり、または、どのように関連の照明器具１０を制御するかを決定することを助けるために、センサ出力を使用することが可能である。たとえば、照明スケジュールが関連の照明器具１０のうちの１つによって制御されないと仮定すると、環境光レベルおよび占有情報は、壁面取り付け式コントローラ１００が関連の照明器具１０をターンオンまたはターンオフすることになるかどうかということ、および、壁面取り付け式コントローラ１００の中に実装される所望の照明スケジュールに基づいて、どのような調光レベルおよびＣＣＴレベルが設定されるべきかに影響を与える可能性がある。また、時刻、曜日、および日付は、どのように関連の照明器具１０が、全体的に、ならびに、センサ出力およびユーザ入力などに関連して制御されるかに影響を与える可能性がある。
【０１３５】
[00154]本明細書で議論される、照明器具１０、壁面取り付け式コントローラ１００、およびコミッショニングツール３６のための制御回路のすべては、ハードウェアベースのものとして定義され、また、ソフトウェアおよびファームウェアなどを走らせ、説明される機能性を実装するように構成される。これらのシステムは、スケジュールされたプログラミングを実装するために、時刻および曜日の記録をつけることが可能である。
【０１３６】
[00155]当業者は、本開示の実施形態に対する改善例および修正例を理解するであろう。たとえば、本明細書で開示される技法は、導波管技術を使用する照明器具の中で使用され得、それは、たとえば、「Ｏｐｔｉｃａｌ  Ｗａｖｅｇｕｉｄｅ  Ｂｏｄｉｅｓ  ａｎｄ  Ｌｕｍｉｎａｉｒｅｓ  Ｕｔｉｌｉｚｉｎｇ  Ｓａｍｅ（光導波体およびこれを用いた照明器具）」という表題の２０１４年１月３０日に出願された国際出願第ＰＣＴ／ＵＳ１４／１３９３７号において提供されるようなものであり、それは、「Ｏｐｔｉｃａｌ  Ｗａｖｅｇｕｉｄｅ  Ｂｏｄｉｅｓ  ａｎｄ  Ｌｕｍｉｎａｉｒｅｓ  Ｕｔｉｌｉｚｉｎｇ  Ｓａｍｅ（光導波体およびこれを用いた照明器具）」という表題の２０１３年１２月３０日に出願された米国仮特許出願第６１／９２２，０１７号の利益を主張しており、それは、「Ｏｐｔｉｃａｌ  Ｗａｖｅｇｕｉｄｅｓ（光導波路）」という表題の２０１３年３月１５日に出願された米国特許出願第１３／８４２，５２１号の一部継続出願であり、それらの開示は、その全体が参照により本明細書に組み込まれる。
【０１３７】
[00156]すべてのそのような改善例および修正例は、本明細書および以下に続く請求項で開示される概念の範囲の中にあると考えられる。
【図１】
0006417485.tif 000002
【図２】
0006417485.tif 000003
【図３Ａ】
0006417485.tif 000004
【図３Ｂ】
0006417485.tif 000005
【図３Ｃ】
0006417485.tif 000006
【図３Ｄ】
0006417485.tif 000007
【図４】
0006417485.tif 000008
【図５】
0006417485.tif 000009
【図６】
0006417485.tif 000010
【図７】
0006417485.tif 000011
【図８】
0006417485.tif 000012
【図９】
0006417485.tif 000013
【図１０】
0006417485.tif 000014
【図１１】
0006417485.tif 000015
【図１２】
0006417485.tif 000016
【図１３】
0006417485.tif 000017
【図１４】
0006417485.tif 000018
【図１５】
0006417485.tif 000019
【図１６】
0006417485.tif 000020
【図１７】
0006417485.tif 000021
【図１８】
0006417485.tif 000022
【図１９】
0006417485.tif 000023